(57)【要約】  【課題】  ユーザの操作に応じて、表示装置に撮像データの一部を切り出して選択的に表示する画像処理装置および画像処理方法を提供する。  【解決手段】  信号処理回路８５は、撮像データをＡＤ変換器８４から受信すると、所定の変換処理を行って画像データを生成した後、その画像データをモニタ信号処理回路８８、９１に送信する。モニタ信号処理回路８８、９１は、それぞれ対応する表示装置のモニタサイズに応じて、受信した画像データを縮小する。一方、切出処理回路９８は、信号処理回路８５から画像データを受信し、その画像データから、表示装置のモニタサイズに対応する画素数の画像データを切り出す。モニタ信号処理回路８８、９１からの縮小された画像データと、切出処理回路９８からの切り出された画像データのいずれかが、ユーザの指示に応じて表示装置に出力される。【選択図】  図６
2006067044.tif 000002
【特許請求の範囲】
【請求項１】
動画および静止画の少なくともいずれかを撮像する撮像手段と、
前記撮像手段から得られた撮像データを第１の画素数からなる第１の画像データに変換する変換手段と、
前記第１の画素数より小さい第２の画素数の画像データを表示する第１の表示手段と、
前記第１の画像データを、前記第２の画素数の画像データに縮小する第１の信号処理手段と、
前記第１の画像データから、前記第２の画素数の画像データを切り出す切出手段と、
前記第１の信号処理手段によって縮小された画像データと、前記切出手段によって切り出された前記第２の画素数の画像データを入力する第１の切替手段と、
ユーザの所定の操作に応じて、前記第１の切替手段に、第１の信号処理手段によって縮小された画像データと、前記切出手段によって切り出された前記第２の画素数の画像データのどちらかを、前記第１の表示手段に出力するよう制御する制御手段を有することを特徴とする画像処理装置。
【請求項２】
請求項１に記載の画像処理装置において、
前記第２の画素数より小さい第３の画素数の画像データを表示する第２の表示手段と、
前記第１の画像データを、前記第３の画素数の画像データに縮小する第２の信号処理手段と、
前記第２の信号処理手段によって縮小された画像データと、前記切出手段によって切り出された前記第３の画素数の画像データを入力する第２の切替手段をさらに備え、
前記切出手段は、前記第１の画像データから、前記第３の画素数の画像データを切り出し、
前記制御手段は、前記ユーザの前記所定の操作に応じて、前記切替手段に、前記第２の信号処理手段によって縮小された画像データと、前記切出手段によって切り出された前記第３の画素数の画像データのどちらかを、前記第２の表示手段に出力するよう制御することを特徴とする画像処理装置。
【請求項３】
請求項２に記載の画像処理装置において、
前記制御手段は、前記第１の切替手段が前記第１の信号処理手段によって縮小された画像データを前記第１の表示手段に出力した場合に、前記第２の切替手段が前記第２の信号処理手段によって縮小された画像データを前記第２の表示手段に出力しないように制御することを特徴とする画像処理装置。
【請求項４】
請求項１に記載の画像処理装置において、
前記所定の操作には、所定のキーの操作とフォーカス操作が含まれることを特徴とする画像処理装置。
【請求項５】
請求項１に記載の画像処理装置において、
前記切出手段は、前記制御手段から与えられる切り出し信号、モニタサイズ、およびスタートアドレスに基づいて、前記画像データの切り出しを行うことを特徴とする画像処理装置。
【請求項６】
請求項５に記載の画像処理装置において、
前記スタートアドレスは、前記ユーザの変更操作によって変更することができることを特徴とする画像処理装置。
【請求項７】
請求項１に記載の画像処理装置において、
前記第１の表示手段に、前記切出手段によって切り出された画像データが表示される場合に、切り出された画像データが表示されていることを示す表示を、前記第１の表示手段に表示することを特徴とする画像処理装置。
【請求項８】
請求項２に記載の画像処理装置において、
前記第２の表示手段に、前記切出手段によって切り出された画像データが表示される場合に、切り出された画像データが表示されていることを示す表示を、前記第２の表示手段に表示することを特徴とする画像処理装置。
【請求項９】
動画および静止画の少なくともいずれかを撮像する撮像ステップと、
前記撮像ステップにより得られた撮像データを第１の画素数からなる第１の画像データに変換する変換ステップと、
前記第１の画像データを、前記第１の画素数より小さい第２の画素数の画像データに縮小する第１の信号処理ステップと、
前記第１の画像データから、前記第２の画素数の画像データを切り出す切出ステップと、
前記第１の信号処理ステップによって縮小された画像データと、前記切出ステップによって切り出された前記第２の画素数の画像データを入力する第１の切替ステップと、
ユーザの所定の操作に応じて、前記第１の切替ステップに、第１の信号処理ステップによって縮小された画像データと、前記切出ステップによって切り出された前記第２の画素数の画像データのどちらかを、前記第２の画素数の画像データを表示する第１の表示手段に出力するよう制御する制御ステップを有することを特徴とする画像処理方法。
【請求項１０】
請求項９に記載の画像処理方法において、
前記第１の画像データを、前記第２の画素数より小さい第３の画素数の画像データに縮小する第２の信号処理ステップと、
前記第２の信号処理ステップによって縮小された画像データと、前記切出ステップによって切り出された前記第３の画素数の画像データを入力する第２の切替ステップをさらに備え、
前記切出ステップは、前記第１の画像データから、前記第３の画素数の画像データを切り出し、
前記制御ステップは、前記ユーザの前記所定の操作に応じて、前記切替ステップに、前記第２の信号処理ステップによって縮小された画像データと、前記切出ステップによって切り出された前記第３の画素数の画像データのどちらかを、前記第３の画素数の画像データを表示する第２の表示手段に出力するよう制御することを特徴とする画像処理方法。
【請求項１１】
請求項１０に記載の画像処理方法において、
前記制御ステップは、前記第１の切替ステップが前記第１の信号処理ステップによって縮小された画像データを前記第１の表示手段に出力した場合に、前記第２の切替ステップが前記第２の信号処理ステップによって縮小された画像データを前記第２の表示手段に出力しないように制御することを特徴とする画像処理方法。
【請求項１２】
請求項９に記載の画像処理方法において、
前記所定の操作には、所定のキーの操作とフォーカス操作が含まれることを特徴とする画像処理方法。
【請求項１３】
請求項９に記載の画像処理方法において、
前記切出ステップは、前記制御ステップから与えられる切り出し信号、モニタサイズ、およびスタートアドレスに基づいて、前記画像データの切り出しを行うことを特徴とする画像処理方法。
【請求項１４】
請求項１３に記載の画像処理方法において、
前記スタートアドレスは、前記ユーザの変更操作によって変更することができることを特徴とする画像処理方法。
【請求項１５】
請求項９に記載の画像処理方法において、
前記第１の表示手段に、前記切出ステップによって切り出された画像データが表示される場合に、切り出された画像データが表示されていることを示す表示を、前記第１の表示手段に表示することを特徴とする画像処理方法。
【請求項１６】
請求項１０に記載の画像処理方法において、
前記第２の表示手段に、前記切出ステップによって切り出された画像データが表示される場合に、切り出された画像データが表示されていることを示す表示を、前記第２の表示手段に表示することを特徴とする画像処理方法。
【請求項１７】
動画および静止画の少なくともいずれかを撮像する撮像手段と、
前記撮像手段から得られた撮像データを画像データに変換する変換手段と、
ピーキング処理を行うピーキング処理手段を有し、
前記ピーキング処理手段はさらに、
前記画像データから、所定のしきい値を用いてピーキング部分を識別するピーキング識別手段と、
前記ピーキング識別手段によって、ピーキング部分と識別された部分を所定の色で置き換える色付け手段とを有することを特徴とする画像処理装置。
【請求項１８】
請求項１７に記載の画像処理装置において、
前記所定の色は、ＧＵＩを用いて、ユーザが選択することを特徴とする画像処理装置。
【請求項１９】
請求項１７に記載の画像処理装置において、
前記所定のしきい値は、ユーザによって選択可能であることを特徴とする画像処理装置。
【請求項２０】
請求項１７に記載の画像処理装置において、
前記ピーキング処理を行うか否かは、ユーザによって指定され、
前記ユーザによる指定は、所定のキーを操作することによって行われることを特徴とする画像処理装置。
【請求項２１】
動画および静止画の少なくともいずれかを撮像する撮像ステップと、
前記撮像ステップにより得られた撮像データを画像データに変換する変換ステップと、
ピーキング処理を行うピーキング処理ステップを有し、
前記ピーキング処理ステップはさらに、
前記画像データから、所定のしきい値を用いてピーキング部分を識別するピーキング識別ステップと、
前記ピーキング識別ステップによって、ピーキング部分と識別された部分を所定の色で置き換える色付けステップを有することを特徴とする画像処理方法。
【請求項２２】
請求項２１に記載の画像処理方法において、
前記所定の色は、ＧＵＩを用いて、ユーザが選択することを特徴とする画像処理方法。
【請求項２３】
請求項２１に記載の画像処理方法において、
前記所定のしきい値は、ユーザによって選択可能であることを特徴とする画像処理方法。
【請求項２４】
請求項２１に記載の画像処理方法において、
前記ピーキング処理を行うか否かは、ユーザによって指定され、
前記ユーザによる指定は、所定のキーを操作することによって行われることを特徴とする画像処理方法。
【請求項２５】
動画および静止画の少なくともいずれかを撮像する撮像手段と、
前記撮像手段から得られた撮像データを画像データに変換する変換手段と、
前記画像データにゼブラ処理を行うゼブラ処理手段を有し、
前記ゼブラ処理手段はさらに、
前記画像データの各画素の輝度が、所定の範囲の値となるかどうかを判定する輝度判定手段と、
前記輝度判定手段によって、前記所定の範囲の値であると判定された画素についてゼブラパターンを付加するゼブラパターン付加手段とを有することを特徴とする画像処理装置。
【請求項２６】
請求項２５に記載の画像処理装置において、
前記所定の範囲の値は、ＧＵＩを用いて、あらかじめ用意されたパターンの中からユーザが選択し、またはユーザが指定することによって決定されることを特徴とする画像処理装置。
【請求項２７】
請求項２６に記載の画像処理装置において、
前記あらかじめ用意されたパターンが、少なくとも３つあることを特徴とする画像処理装置。
【請求項２８】
請求項２５に記載の画像処理装置において、
前記ゼブラ処理を行うか否かは、ユーザによって指定され、
前記ユーザによる指定は、所定のキーを操作することによって行われることを特徴とする画像処理装置。
【請求項２９】
動画および静止画の少なくともいずれかを撮像する撮像ステップと、
前記撮像ステップにより得られた撮像データを画像データに変換する変換ステップと、
前記画像データにゼブラ処理を行うゼブラ処理ステップを有し、
前記ゼブラ処理ステップはさらに、
前記画像データの各画素の輝度が、所定の範囲の値となるかどうかを判定する輝度判定ステップと、
前記輝度判定ステップによって、前記所定の範囲の値であると判定された画素についてゼブラパターンを付加するゼブラパターン付加ステップとを有することを特徴とする画像処理方法。
【請求項３０】
請求項２９に記載の画像処理方法において、
前記所定の範囲の値は、ＧＵＩを用いて、あらかじめ用意されたパターンの中からユーザが選択し、またはユーザが指定することによって決定されることを特徴とする画像処理方法。
【請求項３１】
請求項３０に記載の画像処理方法において、
前記あらかじめ用意されたパターンが、少なくとも３つあることを特徴とする画像処理方法。
【請求項３２】
請求項２９に記載の画像処理方法において、
前記ゼブラ処理を行うか否かは、ユーザによって指定され、
前記ユーザによる指定は、所定のキーを操作することによって行われることを特徴とする画像処理方法。
【請求項３３】
動画および静止画の少なくともいずれかを撮像する撮像手段と、
前記撮像手段から得られた撮像データを画像データに変換する変換手段と、
ホワイトバランス調整を行うホワイトバランス処理手段を有し、
前記ホワイトバランス処理手段はさらに、
色温度に対応した相対値に基づいてＷＢアンプゲインを求めるＷＢアンプゲイン設定手段と、
前記ＷＢアンプゲインに基づいてホワイトバランス調整を行うホワイトバランス調整手段を有することを特徴とする画像処理装置。
【請求項３４】
請求項３３に記載の画像処理装置において、
前記相対値は、ＧＵＩを用いてユーザによって指定されることを特徴とする画像処理装置。
【請求項３５】
請求項３４に記載の画像処理装置において、
前記相対値は、ユーザによる指定の際に、所定のアイコン、または前記相対値にそれぞれ対応するアイコンとともに表示手段に表示されることを特徴とする画像処理装置。
【請求項３６】
動画および静止画の少なくともいずれかを撮像する撮像ステップと、
前記撮像ステップから得られた撮像データを画像データに変換する変換ステップと、
ホワイトバランス調整を行うホワイトバランス処理ステップと、
前記ホワイトバランス調整がされた画像データを前記表示ステップに表示するよう制御する制御ステップを有し、
前記ホワイトバランス処理ステップはさらに、
色温度に対応した相対値に基づいてＷＢアンプゲインを求めるＷＢアンプゲイン設定ステップと、
前記ＷＢアンプゲインに基づいてホワイトバランス調整を行うホワイトバランス調整ステップを有することを特徴とする画像処理方法。
【請求項３７】
請求項３６に記載の画像処理方法において、
前記相対値は、ＧＵＩを用いてユーザによって指定されることを特徴とする画像処理方法。
【請求項３８】
請求項３７に記載の画像処理方法において、
前記相対値は、ユーザによる指定の際に、所定のアイコン、または前記相対値にそれぞれ対応するアイコンとともに表示手段に表示されることを特徴とする画像処理方法。
【請求項３９】
動画および静止画の少なくともいずれかを撮像する撮像手段と、
前記撮像手段から得られた撮像データを画像データに変換する変換手段を有し、
前記撮像の方法、前記撮像データの処理、および前記画像データの処理の少なくともいずれかに関する設定項目に対する設定値をプロファイルとして記憶し、前記プロファイルをあらかじめ複数パターン備えるように構成されることを特徴とする画像処理装置。
【請求項４０】
請求項３９に記載の画像処理装置において、
前記複数のプロファイルに記憶された各設定項目の設定値は、所定の撮影状況に応じた推奨値であることを特徴とする画像処理装置。
【請求項４１】
請求項３９に記載の画像処理装置において、
前記プロファイルに記憶された各設定項目の設定値は、表示手段を用いて、ＧＵＩによりユーザによって設定することができることを特徴とする画像処理装置。
【請求項４２】
請求項４１に記載の画像処理装置において、
前記表示手段に表示された前記設定値は、数値による表示に加えて、前記設定項目の設定範囲における前記設定値の相対的位置が表示されることを特徴とする画像処理装置。
【請求項４３】
動画および静止画の少なくともいずれかを撮像する撮像ステップと、
前記撮像ステップにより得られた撮像データを画像データに変換する変換ステップを有し、
前記撮像の方法、前記撮像データの処理、および前記画像データの処理の少なくともいずれかに関する設定項目に対する設定値をプロファイルとして記憶し、前記プロファイルをあらかじめ複数パターン備えるように構成されることを特徴とする画像処理方法。
【請求項４４】
請求項４３に記載の画像処理方法において、
前記複数のプロファイルに記憶された各設定項目の設定値は、所定の撮影状況に応じた推奨値であることを特徴とする画像処理方法。
【請求項４５】
請求項４３に記載の画像処理方法において、
前記プロファイルに記憶された各設定項目の設定値は、表示手段を用いて、ＧＵＩによりユーザによって設定することができることを特徴とする画像処理方法。
【請求項４６】
請求項４５に記載の画像処理方法において、
前記表示手段に表示された前記設定値は、数値による表示に加えて、前記設定項目の設定範囲における前記設定値の相対的位置が表示されることを特徴とする画像処理方法。
【発明の詳細な説明】
【技術分野】
【０００１】
この発明は、動画や静止画の録画・再生を行う画像処理装置、および画像処理方法に関する。
【背景技術】
【０００２】
ビデオカメラ、ディジタルスチルカメラ、銀塩カメラ等を含む画像処理装置における撮像画素数は、撮像素子の性能や画像処理能力の向上によって、年々増大する傾向にあり、このため、撮像画素数が記録フォーマットの画素数を上回る場合がある。
【０００３】
以下の特許文献１では、上記のような場合に、撮像素子（ＣＣＤ）の所定の領域の出力データを切り出して、記録フォーマットの画素数に合わせる方法が提案されている。
【０００４】
【特許文献１】特開平１３−１６９１７２号公報
【０００５】
また、上記のような解像度の向上とともに、ピーキング処理機能、ゼブラパターンの表示機能、およびホワイトバランスの調整機能など、撮影のし易さや、良好な（あるいは好みの画質で）撮影画像を得ることを目的とした機能が数多く付加されるようになってきた。
【発明の開示】
【発明が解決しようとする課題】
【０００６】
しかしながら、上記のような画像処理装置にはいくつかの問題点がある。
【０００７】
第１の問題点は、動画の撮影時にマニュアルフォーカスを行う際の問題である。上述のように、撮像画像の画素数は年々増加する傾向にあり、それに伴って、パネルモニタやビューファインダに表示する表示画像も高画素なものにすることが可能である。しかしながら、表示画像の画素数を大きくしても、これらの表示装置のサイズは殆ど変わっていないので、レンズから取り込まれた画像（撮像画像）全体をそのまま表示装置に表示することはできず、多くの画像処理装置では、撮像画像を表示装置のサイズ（画素数）に変換して（すなわち縮小して）表示している。
【０００８】
また、画像処理装置のシステムによっては、撮像画像の画素数より小さい画素数で記録されるので、その場合は、撮像画像のうち、記録される画素数に対応する画像が、表示装置のサイズに縮小され、表示される。こうした表示画像の縮小比率は、撮像画像の画素が大きいほど、大きくなる。
【０００９】
また、ピント合わせは通常、パネルモニタやビューファインダの表示画像を見て行われるため、表示画像の縮小比率が大きくなると、表示画像がボケたり、被写体自体が小さく表示され、フォーカスがされている部分や合焦の是非の判断が極めて困難になる。
【００１０】
上記特許文献１の方法は、撮像データの一部を切り出して記録フォーマットの画素数に合わせるものであり、表示装置に表示をするために切り出し処理を行うものではない。
【００１１】
第２の問題点は、ピーキング処理機能に関する問題である。ピーキング処理によって、画像のエッジ部分が強調表示されるが、今までは、当該部分が単に強調されるに過ぎず、また、ピーキングのレベルも柔軟に調整できるものはなかった。
【００１２】
第３の問題点は、ゼブラパターンの表示機能に関する問題である。ゼブラパターンは、露出オーバーで白トビが発生する可能性のある部分を縞模様で表示する機能であるが、今までは、ゼブラパターンを表示する基準となる輝度（あるいは輝度の範囲）は数種類の固定的なものであり、ユーザが柔軟に設定できるようにはなっていない。
【００１３】
第４の問題点は、ホワイトバランスの調整機能に関する問題である。動画撮影を行う際にホワイトバランスの調整を行う場合があるが、今までは、色温度を考慮した調整が必要であり、ユーザが色温度を直感的に判断して容易に指定できるようなものはなかった。
【００１４】
第５の問題点は、たとえば、上述したホワイトバランスの調整を行うための設定値等を含む各設定項目の設定パターンを複数用意しておくことができず、また、そのような設定パターンをデータとして取り扱える機能を有していないことである。
【００１５】
したがって、この発明の目的は、動画撮影時にマニュアルフォーカスを行う際、撮像画像の一部を切り出して表示装置に拡大して表示するようにした画像処理装置および画像処理方法を提供することにある。
【００１６】
この発明のさらなる目的は、ピーキング処理において、強調されるエッジ部分の色と、ピーキングのレベルを、容易に選択することができるようにした画像処理装置および画像処理方法を提供することにある。
【００１７】
この発明のさらに別の目的は、ゼブラパターンを表示する基準となる輝度を、柔軟かつ容易に設定できるようにした画像処理装置および画像処理方法を提供することにある。
【００１８】
この発明のさらに別の目的は、ホワイトバランスの調整を行う際に、基準の色温度からの相対値を指標として容易な調整ができるようにした画像処理装置および画像処理方法を提供することにある。
【００１９】
この発明のさらに別の目的は、各設定項目に対する設定値をさまざまなパターンとして保持する機能を備え、さらに、それらの各パターンをデータとして容易に取り扱うことのできる機能を有する画像処理装置および画像処理方法を提供することにある。
【課題を解決するための手段】
【００２０】
この発明の第１の実施態様は、動画および静止画の少なくともいずれかを撮像する撮像手段と、撮像手段から得られた撮像データを第１の画素数からなる第１の画像データに変換する変換手段と、第１の画素数より小さい第２の画素数の画像データを表示する第１の表示手段と、第１の画像データを、第２の画素数の画像データに縮小する第１の信号処理手段と、第１の画像データから、第２の画素数の画像データを切り出す切出手段と、第１の信号処理手段によって縮小された画像データと、切出手段によって切り出された第２の画素数の画像データを入力する第１の切替手段と、ユーザの所定の操作に応じて、第１の切替手段に、第１の信号処理手段によって縮小された画像データと、切出手段によって切り出された第２の画素数の画像データのどちらかを、第１の表示手段に出力するよう制御する制御手段を有するように構成された画像処理装置である。
【００２１】
この発明の第２の実施態様は、動画および静止画の少なくともいずれかを撮像する撮像ステップと、撮像ステップにより得られた撮像データを第１の画素数からなる第１の画像データに変換する変換ステップと、第１の画像データを、第１の画素数より小さい第２の画素数の画像データに縮小する第１の信号処理ステップと、第１の画像データから、第２の画素数の画像データを切り出す切出ステップと、第１の信号処理ステップによって縮小された画像データと、切出ステップによって切り出された第２の画素数の画像データを入力する第１の切替ステップと、ユーザの所定の操作に応じて、第１の切替ステップに、第１の信号処理ステップによって縮小された画像データと、切出ステップによって切り出された第２の画素数の画像データのどちらかを、第２の画素数の画像データを表示する第１の表示手段に出力するよう制御する制御ステップを有するように構成された画像処理方法である。
【００２２】
この発明の第３の実施態様は、動画および静止画の少なくともいずれかを撮像する撮像手段と、撮像手段から得られた撮像データを画像データに変換する変換手段と、ピーキング処理を行うピーキング処理手段を有し、ピーキング処理手段はさらに、画像データから、所定のしきい値を用いてピーキング部分を識別するピーキング識別手段と、ピーキング識別手段によって、ピーキング部分と識別された部分を所定の色で置き換える色付け手段とを有するように構成される画像処理装置である。
【００２３】
この発明の第４の実施態様は、動画および静止画の少なくともいずれかを撮像する撮像ステップと、撮像ステップにより得られた撮像データを画像データに変換する変換ステップと、ピーキング処理を行うピーキング処理ステップを有し、ピーキング処理ステップはさらに、画像データから、所定のしきい値を用いてピーキング部分を識別するピーキング識別ステップと、ピーキング識別ステップによって、ピーキング部分と識別された部分を所定の色で置き換える色付けステップを有するように構成される画像処理方法である。
【００２４】
上記第３および第４の実施態様によれば、ピーキング部分を識別し、識別された部分を所定の色で置き換える。また、ピーキングを識別するためのしきい値と、所定の色は、ユーザが指定したものを用いることができるように構成される。
【００２５】
この発明の第５の実施態様は、動画および静止画の少なくともいずれかを撮像する撮像手段と、撮像手段から得られた撮像データを画像データに変換する変換手段と、画像データにゼブラ処理を行うゼブラ処理手段を有し、ゼブラ処理手段はさらに、画像データの各画素の輝度が、所定の範囲の値となるかどうかを判定する輝度判定手段と、輝度判定手段によって、所定の範囲の値であると判定された画素についてゼブラパターンを付加するゼブラパターン付加手段とを有するように構成される画像処理装置である。
【００２６】
この発明の第６の実施態様は、動画および静止画の少なくともいずれかを撮像する撮像ステップと、撮像ステップにより得られた撮像データを画像データに変換する変換ステップと、画像データにゼブラ処理を行うゼブラ処理ステップを有し、ゼブラ処理ステップはさらに、画像データの各画素の輝度が、所定の範囲の値となるかどうかを判定する輝度判定ステップと、輝度判定ステップによって、所定の範囲の値であると判定された画素についてゼブラパターンを付加するゼブラパターン付加ステップとを有するように構成される画像処理方法である。
【００２７】
上記第５および第６の実施態様によれば、ゼブラ処理を行うか否かを、基準となる輝度の範囲によって判断する。また、この基準となる輝度の範囲は、ユーザによって、より詳細なレベルで指定することが可能である。
【００２８】
この発明の第７の実施態様は、動画および静止画の少なくともいずれかを撮像する撮像手段と、撮像手段から得られた撮像データを画像データに変換する変換手段と、ホワイトバランス調整を行うホワイトバランス処理手段を有し、ホワイトバランス処理手段はさらに、所定のパラメータに基づいてＷＢアンプゲインを求めるＷＢアンプゲイン設定手段と、ＷＢアンプゲインに基づいてホワイトバランス調整を行うホワイトバランス調整手段を有するように構成される画像処理装置である。
【００２９】
この発明の第８の実施態様は、動画および静止画の少なくともいずれかを撮像する撮像ステップと、撮像ステップから得られた撮像データを画像データに変換する変換ステップと、ホワイトバランス調整を行うホワイトバランス処理ステップを有し、ホワイトバランス処理ステップはさらに、所定のパラメータに基づいてＷＢアンプゲインを求めるＷＢアンプゲイン設定ステップと、ＷＢアンプゲインに基づいてホワイトバランス調整を行うホワイトバランス調整ステップを有するように構成される画像処理方法である。
【００３０】
上記第７および第８の実施態様によれば、ユーザが指定する所定のパラメータに基づいてホワイトバランス処理が行われる。また、ユーザは、このパラメータを、色温度に応じた相対値によって指定することができる。
【００３１】
この発明の第９の実施態様は、動画および静止画の少なくともいずれかを撮像する撮像手段と、撮像手段から得られた撮像データを画像データに変換する変換手段を有し、撮像の方法、撮像データの処理、および画像データの処理の少なくともいずれかに関する設定項目に対する設定値をプロファイルとして記憶し、プロファイルをあらかじめ複数パターン備えるように構成される画像処理装置である。
【００３２】
この発明の第１０の実施態様は、動画および静止画の少なくともいずれかを撮像する撮像ステップと、撮像ステップにより得られた撮像データを画像データに変換する変換ステップを有し、撮像の方法、撮像データの処理、および画像データの処理の少なくともいずれかに関する設定項目に対する設定値をプロファイルとして記憶し、プロファイルをあらかじめ複数パターン備えるように構成される画像処理方法である。
【００３３】
上記第９および第１０の実施態様によれば、複数の設定項目に対する設定値を記憶したプロファイルがあらかじめ推奨パターンとして複数用意される。ユーザは、この複数パターンのなかから撮影の状況や条件に応じて、１つのプロファイルを選択し、指定する。
【発明の効果】
【００３４】
この発明に係る画像処理装置および画像処理方法は、動画撮影時にマニュアルフォーカスを行う際、撮像画像の一部を切り出して表示装置に拡大して表示するようにすることができる。これによって、表示装置には、たとえば、撮像画像の一定範囲の画素がそのまま表示装置に表示され、従来の、撮像画像の全体を表示するために縮小された表示画像より、結果的に拡大された表示画像が表示される。
【００３５】
また、この発明に係る画像処理装置および画像処理方法によって、ピーキング処理の際に、強調表示に用いられる色と、ピーキングのレベルを、複数の候補の中から容易に選択することができるようになる。
【００３６】
またさらに、この発明に係る画像処理装置および画像処理方法によって、ゼブラパターンを表示する基準となる輝度を、多くの候補の中から選択し、容易に設定できるようになる。
【００３７】
さらに、この発明に係る画像処理装置および画像処理方法によって、ホワイトバランスの調整を行う際に、基準の色温度からの相対値を指標として、ユーザが容易に指定を行うことができる。
【００３８】
またさらに、この発明に係る画像処理装置および画像処理方法によって、各設定項目に対する設定値をさまざまなパターンとして保持し、それらの各パターンに対する変更やコピーなどを容易に行うことができる。
【発明を実施するための最良の形態】
【００３９】
この発明の画像処理装置について説明する前に、従来の画像処理装置の構成について、図１を参照して説明する。図１は、たとえば、ディジタルビデオカメラのような画像処理装置１のブロック図である。画像処理装置１は、レンズ２、撮像素子３、ＡＤ（Analog to Digital）変換器４、信号処理回路５、画像メモリ６、制御マイコン７、モニタ信号処理回路８、表示処理回路９、液晶モニタ１０、モニタ信号処理回路１１、表示処理回路１２、ビューファインダ１３、表示処理回路１４、再生回路１５、記録回路１６、およびメディア１７を含む。
【００４０】
被写体は、レンズ２を介して、ＣＣＤ（Charge Coupled Devices）やＣＭＯＳ（Complementary Metal Oxide Semiconductor）センサなどの撮像素子３によって撮像される。このような構成で用いられるＣＣＤの画素数（解像度）は、たとえば、約３００万画素である。
【００４１】
撮像素子３に入射した光は電気信号に変換され、次に、ＡＤ変換器４で、その電気信号がディジタル化される。信号処理回路５は、ＡＤ変換器４から受信したディジタル信号を、信号処理可能な画像データに変換する。一方、制御マイコン７は、画像処理装置１の操作部等から入力されるユーザの指示等にしたがって生成されるユーザＩ／Ｆ信号を受信し、そのユーザＩ／Ｆ信号に応じて、信号処理回路５に画像データの処理等を制御するための制御信号を送信する。
【００４２】
また、信号処理回路５は、制御マイコン７からの指示に従い、変換した画像データを、必要に応じて画像メモリ６に一時的に記憶し、メディア１７へ記録するのに適した画像処理、すなわち、サイズ変換や色変換等を実施する。記録回路１６は、信号処理回路５からの画像処理されたデータを、メディア１７で記録できる形式に画像データを変換し、こうして変換された画像データをメディア１７に格納する。一方、再生回路１５は、画像データをメディア１７から読み出し、読み出した画像データの形式を、信号処理が可能な形式に変換し、信号処理回路５に送信する。
【００４３】
信号処理回路５は、再生回路１５から画像データを受信すると、表示処理回路１４に再生画像を送信する。表示処理回路１４は、受信した画像データの形式を、信号処理形式から表示用の形式に変換（たとえば、ＤＡ（Digital to Analog）変換）し、出力信号を外部モニタに出力する。外部モニタは、受信した画像信号を表示する。ここで、外部モニタは、たとえば、画像処理装置１のラインアウト端子と、所定のケーブルによって接続された高解像度外部モニタである。信号処理回路５は、ＡＤ変換器４から受信した画像データも、同様に外部モニタに出力し、記録の有無に関わらず、撮像画像（記録画像）の少なくとも一部をほぼリアルタイムに外部モニタに表示させる。
【００４４】
液晶モニタ１０は、ここでは撮像画像を表示するためのパネルモニタであり、ビューファインダ１３は、主として被写体の撮像やピント合わせのために用いられるモニタである。画像処理装置１は、図１に示すように、それぞれ解像度の異なる２つの表示装置（液晶モニタ１０、ビューファインダ１３）を有する場合、記録再生画像をそのまま送信して２つの表示装置にそれぞれ表示させることはできない。そこで、信号処理回路５は、再生時には、再生回路１５から画像データを受信すると、それをモニタ信号処理回路８に送信し、そこで、液晶モニタ１０の解像度に合わせて画像サイズが変更される。その後、表示処理回路９でＤＡ変換等が行われて、液晶モニタ１０に再生画像が表示される。一方、記録時や記録を行わずに撮像のみを行っている場合には、ＡＤ変換器４から受信した画像データに対して、再生時と同様の処理が行われ、記録の有無に関わらず、記録画像（撮像画像）の少なくとも一部が縮小されて液晶モニタ１０に表示される。
【００４５】
また、ビューファインダ１３に画像が表示される場合も液晶モニタ１０に表示を行う場合と同様の処理が行われる。すなわち、信号処理回路５は、再生回路１５から画像データを受信すると、それをモニタ信号処理回路１１に送信し、そこで、ビューファインダ１３の解像度に合わせて画像サイズが変更される。その後、表示処理回路１２でＤＡ変換等が行われて、ビューファインダ１３に再生画像が表示される。ＡＤ変換器４から受信した画像データも、同様の処理が行われ、記録の有無に関わらず、記録画像（撮像画像）の少なくとも一部が縮小されてビューファインダ１３に表示される。
【００４６】
ここで、液晶モニタ１０の画素数は、たとえば１００万画素であり、ビューファインダ１３の画素数は、たとえば２５万画素である。
【００４７】
次に、図２および図３を参照して、従来の画像処理装置１によって撮像される画像と、記録・表示される画像の範囲の関係について説明する。図２は、従来の画像処理装置１の撮像素子３によって撮像される画像の範囲と、その撮像画像を記録する場合の画像の範囲を模式的に表したものである。図２に示された範囲３１は、撮像素子３によって撮像された範囲であり、たとえば３００万画素のデータからなる。範囲３２は、実際に記録回路１６によってメディア１７に記録される際の被写体の範囲である。図２から分かるように、この例では、撮像画素によって得られた画素データのすべてが記録されている訳ではなく、撮像素子３によって取得された画素データであっても、記録されないものがある。ここでは、記録解像度は、２５０万画素であるとする。
【００４８】
図３Ａには、実際にメディア１７に記録される画像データの範囲３２が示されている。この範囲は、図２で示した範囲３２と同じである。図３Ｂには、たとえば１００万画素のパネルモニタ（液晶モニタ１３）に表示された画像データが示されている。この画像データは、たとえば、メディア１７に記録される画像データを縮小することによって得られる。すなわち、２５０万画素の画像データは、１００万画素に縮小される。画像データは全体的に縮小されるため、被写体の表示範囲は変わらない。
【００４９】
図３Ｃには、たとえば２５万画素のビューファインダ１３に表示された画像データが示されている。この画像データは、たとえば、メディア１７に記録される画像データを縮小することによって得られる。すなわち、２５０万画素の画像データは、２５万画素に縮小される。しかしながら、図３Ｂと同様、被写体の表示範囲は変わらない。
【００５０】
次に、この発明の第１の実施形態に係る画像処理装置ついて説明する。図４は、この発明の第１の実施形態に係る画像処理装置の一例であるディジタルビデオカメラの外観を示したものである。
【００５１】
図４のディジタルビデオカメラ５０は、レンズフード５１、パネルモニタ５２、ステレオマイク５３、マニュアルフォーカスリング５４、ズームリング５５、ビューファインダ５６等を含んでいる。レンズフード５１は、レンズに余計な光が回り込むのを防ぐ役割を持ち、さらに、たとえばレンズキャップを内蔵し、レンズ（不図示）を保護する。パネルモニタ５２は、記録画像や再生画像を表示させることができるとともに、タッチパネルとして構成され、指先やスタイラスでパネル表面を押すことによって各種設定が可能な構造になっている。ステレオマイク５３は、動画撮影時等に周囲の音を入力する。
【００５２】
マニュアルフォーカスリング５４は、これを操作することによって、ユーザが手動で合焦操作（ピント合わせ）を行うことができるようになっている。また、ズームリング５５を回転させることにより、被写体を拡大等して撮影することができる。ビューファインダ５６には、レンズを介して得られる撮像画像が表示される。こうした撮像画像は、ビューファインダ５６の他に、パネルモニタ５２にも出力することができるので、ユーザは通常、これらのうちどちらかに表示された画像を参照して被写体を選択し、さらに、ピント合わせやズーム操作等を行う。
【００５３】
また、ディジタルビデオカメラ５０の上部および側部には、多くのボタンやスイッチを備える操作部５７、操作部５８が設けられている。ユーザは、これらのボタンやスイッチを操作することによって、ディジタルビデオカメラ５０の記録時や再生時における各種機能の実行・調整等を制御する。
【００５４】
図４の矢印５９の方向に沿って見たディジタルビデオカメラ５０の部分が図５に示されている。図５の上部には、図４に示されていたビューファインダ５６が示されている。図５に示す部分にも操作部が設けられており、スライドスイッチ６１、メニューボタン６２、および選択決定ボタン６３等が配置されている。スライドスイッチ６１は、ゼブラ処理やピーキング処理を行うように指示するためのスイッチである。なお、ゼブラ処理およびピーキング処理については、後で説明する。メニューボタン６２は、カスタムメニューボタン、Ｐメニューボタン、およびメニューボタンから構成される。
【００５５】
選択決定ボタン６３は、たとえば指先で上下方向に回転させることができるローラー状のバンド部を備え、それ自体を押下することもできるボタンである。上下方向の回転によって、たとえばメニュー項目を選択し、押下によって、その選択された項目の選択を決定することができる。記録媒体挿入口６４には、所定の可搬型記録媒体が挿入され、ディジタルビデオカメラ５０からの画像データや設定に関するデータ等が記憶される。逆に、可搬型記録媒体内に記憶された各種データは、ディジタルビデオカメラ５０に送信され、所定の記憶手段に記憶される。
【００５６】
右側には、バッテリー６５があり、さらにその右側には電源スイッチ６６が配置されている。
【００５７】
次に、図６を参照して、この発明の第１の実施形態に係る画像処理装置の構成について説明する。図６には、画像処理システム８１を含む画像処理装置のブロック図が示されている。画像処理システム８１は、レンズ８２、撮像素子８３、ＡＤ変換器８４、信号処理回路８５、画像メモリ８６、制御マイコン８７、モニタ信号処理回路８８、表示処理回路８９、パネルモニタ９０、モニタ信号処理回路９１、表示処理回路９２、ビューファインダ９３、表示処理回路９４、再生回路９５、記録回路９６、およびメディア９７を含み、さらに、切出処理回路９８、セレクタ９９、およびセレクタ１００を備える。ここで、メディア９７は、たとえば、磁気テープ、フレキシブルディスク、ＣＤ−Ｒ、記録可能なタイプのＤＶＤ、ハードディスク、メモリなどであり、データを記録可能なメディアであればどのようなタイプのものでもよい。また、上記のような記録媒体ではなく、インターネットや電波等の伝送メディアに対して記録画像の送受信を行うこともできる。
【００５８】
たとえばＣＣＤやＣＭＯＳセンサで構成される撮像素子８３は、レンズ８２を介して被写体を撮像する。ここで、ＣＣＤの画素数（解像度）は、たとえば、３００万画素である。
【００５９】
撮像素子８３に入射した光は電気信号に変換され、次に、ＡＤ変換器８４で、その電気信号がディジタル化され、撮像データが得られる。信号処理回路８５は、ＡＤ変換器８４から受信したディジタル信号（撮像データ）を、信号処理可能な画像データに変換する。一方、制御マイコン８７は、画像処理装置の操作部等から入力されるユーザの指示等にしたがって生成されるユーザＩ／Ｆ信号を受信し、その信号に応じて、信号処理回路８５に画像データの処理等を制御するための制御信号を送信する。
【００６０】
信号処理回路８５は、制御マイコン８７からの指示に従い、変換した画像データを、必要に応じて画像メモリ８６に一時的に記憶し、メディア９７へ記録するのに適した画像処理、すなわち、サイズ変換や色変換等を実施する。記録回路９６は、信号処理回路８５から画像処理後の画像データを受信すると、当該画像データをメディア９７で記録できる形式に変換し、こうして変換された画像データをメディア９７に格納する。一方、再生回路９５は、画像データをメディア９７から読み出し、読み出した画像データの形式を、信号処理が可能な形式に変換し、信号処理回路８５に送信する。
【００６１】
信号処理回路８５は、再生回路９５から画像データを受信すると、表示処理回路９４に再生画像を送信する。表示処理回路９４は、受信した画像データの形式を、信号処理形式から表示用の形式に変換（たとえば、ＤＡ変換）し、出力信号を外部モニタに出力する。外部モニタは、受信した画像信号を表示する。ここで、外部モニタは、たとえば、画像処理装置のラインアウト端子１０７と、所定のケーブルによって接続された高解像度外部モニタである。信号処理回路８５は、ＡＤ変換器８４から受信した画像データも同様に外部モニタに出力し、記録の有無に関わらず、撮像画像（記録画像）の少なくとも一部をほぼリアルタイムにその外部モニタに表示させる。
【００６２】
パネルモニタ９０は、ここでは撮像画像を表示するためのパネルモニタであり、パネルモニタ９０の画素数は、たとえば１００万画素である。ビューファインダ９３は、主として被写体の撮像やピント合わせのために用いられるモニタであり、ビューファインダ９３の画素数は、たとえば２５万画素である。
【００６３】
この発明の第１の実施形態に係る画像処理装置では、２つの表示装置（パネルモニタ９０、ビューファインダ９３）の少なくとも一方に、ＡＤ変換器８４からの撮像画像（記録画像）または、再生回路９５からの再生画像が縮小して表示される（縮小表示）。また、画像処理装置の２つの表示装置のうち一方には、ＡＤ変換器８４からの撮像画像（記録画像）の一部を、その表示装置の画像サイズに合わせて切り出した画像を表示させることができる（切り出し表示）。
【００６４】
縮小表示のための画像データと切り出し表示のための画像データは、セレクタ９９とセレクタ１００にそれぞれ入力され、どの表示装置にどの画像を表示させるかは、制御マイコン８７からセレクタ９９およびセレクタ１００に入力される制御信号により決定される。ユーザは、画像処理装置の操作部において、たとえば、スライドスイッチ（不図示）のようなものにより、どちらの表示装置に切り出し表示を行うかを指示することができ、この指示に基づいてユーザＩ／Ｆ信号が生成され、このユーザＩ／Ｆ信号によって制御マイコン８７の制御信号が作られる。この例では、切り出し表示は、どちらかの表示装置に対して行うようにすることができ、他の表示装置は従来の縮小表示となる。
【００６５】
ここで、縮小表示のための画像データについては、図１に関連して説明した、従来の画像処理装置１の場合と同様の処理がされる。すなわち、信号処理回路８５が、ＡＤ変換器８４からの撮像画像または、再生回路９５からの再生画像を受信すると、それをモニタ信号処理回路８８およびモニタ信号処理回路９１に送信し、モニタ信号処理回路８８は、パネルモニタ９０の解像度に合わせて画像データを縮小し、一方、モニタ信号処理回路９１は、ビューファインダ９３の解像度に合わせて画像データを縮小する。その後、モニタ信号処理回路８８によって縮小された画像データは、セレクタ９９に入力され、モニタ信号処理回路９１によって縮小された画像データは、セレクタ１００に入力される。画像データの縮小は、従来より一般的に用いられている方法、たとえばフィルタ処理等によって行われる。
【００６６】
ユーザが、ディジタルビデオカメラの操作部において、どちらかの表示装置に切り出し表示を行うよう指示すると、制御マイコン８７から切出処理回路９８に切出処理コマンドが発行される。切出処理コマンドには、画像を切り出す処理が実行されることを表す切り出し信号、切り出し画像を出力したい表示装置の出力サイズに応じたモニタサイズ、および画像の切り出し開始位置を示すスタートアドレスが含まれる。スタートアドレスは、通常、撮像データの中央部分が切り出されるように設定されるが、ユーザが、たとえば、撮像画像が表示されたパネルモニタ９０上の所定の位置をスタイラス等で指示等することで変更することができる。これによって、撮像画像の右端や上部を切り出してパネルモニタ９０やビューファインダ９３に表示させることができる。
【００６７】
制御マイコン８７から切出処理回路９８に切出処理コマンドが発行されると、ＡＤ変換器８４からの撮像画像（記録画像）が、信号処理回路８５を介して切出処理回路９８に提供される。そこで、切出処理回路９８は、受信した撮像画像を、切出処理コマンドによって指定されたモニタサイズに切り出し、切り出された画像データをセレクタ９９およびセレクタ１００（または、切り出し画像を出力する表示装置に接続された方のセレクタ）に出力する。切出処理回路９８は、切り出し処理の際に、画像メモリ８６を用いて画像の切り出しを行う。
【００６８】
セレクタ９９で選択された画像データは、その後、表示処理回路８９によってＤＡ変換等が行われ、パネルモニタ９０に切り出し画像または縮小画像のいずれかが表示される。同様に、セレクタ１００で選択された画像データは、その後、表示処理回路９２によってＤＡ変換等が行われ、ビューファインダ９３に切り出し画像または縮小画像のいずれかが表示される。
【００６９】
図６の画像処理装置はさらに、マイク１０１、Ｉ／Ｆ（インタフェース：interface）１０２、信号処理回路１０３、およびＲＡＭ（Random Access Memory）１０４を備える。音声は、マイク１０１、およびＩ／Ｆ１０２を介して信号処理回路１０３に送信され、そこで所定のデータ処理が行われ、記録回路９６に送信される。記録回路９６に送信された音声データは、所定のフォーマットで、たとえば映像データとともに、メディア９７に記録される。ＲＡＭ１０４には、画像処理装置の設定等の情報が記録されており、たとえば、後述するピクチャープロファイルのデータ等が記録される。
【００７０】
再生回路９５から出力された画像データおよび音声データは、出力端子１０６を介して接続された外部記録装置等に記録され、また、ネットワーク等によって他の端末に伝送される。
【００７１】
次に、図７を参照して、この発明の第１の実施形態に係る画像処理装置の切り出し処理をより詳細に説明する。図７に示すように、切出処理回路９８は、アドレス生成器１２１、データセレクタ１２２、およびタイミングジェネレータ１２３を含んでいる。上述のように、制御マイコン８７から切出処理回路９８に対して、切り出し信号、モニタサイズ、およびスタートアドレスを含む切出処理コマンドが発行されると、アドレス生成器１２１において、撮像画像から表示装置のモニタサイズに応じたサイズの画像を切り出すための切り出し有効期間が決定され、それが、データセレクタ１２２およびタイミングジェネレータ１２３に送られる。
【００７２】
データセレクタ１２２は、こうして決定された切り出し有効期間の情報に基づき、入力した画像データにイネーブル信号を付加し、これをアドレス生成器１２１に送信する。そこで、アドレス生成器１２１は、受信した画像データを制御し、画像メモリ８６に格納する。
【００７３】
タイミングジェネレータ１２３は、クロック信号およびＦ（フレーム）パルスを入力し、アドレス生成器１２１から与えられた切り出し有効期間と表示装置の有効期間から、画像データの読み出しタイミングを計算し、アドレス生成器１２１に画像データ出力要求を発行する。アドレス生成器１２１は、タイミングジェネレータ１２３からの画像データ出力要求に従い、画像メモリ８６から画像データの部分を読み出し、出力する。こうして出力された画像データは、出力する表示装置のモニタサイズに応じたサイズとなり、図６に示された、対応するセレクタ９９またはセレクタ１００に送信される。
【００７４】
次に、図８ないし図１１を参照して、この発明の第１の実施形態に係る画像処理装置によって撮像される画像と、記録・表示される画像の範囲の関係について説明する。図８は、画像処理装置の撮像素子８３によって撮像される画像の範囲と、その撮像画像を記録・表示する場合の画像の範囲を模式的に表したものである。図８の範囲１３１は、撮像素子８３によって撮像された範囲であり、たとえば３００万画素のデータからなる。範囲１３２は、実際に記録回路９６によってメディア９７に記録される際の被写体の範囲である。図８から分かるように、撮像画素によって得られた画素データのすべてが記録されている訳ではなく、撮像素子８３によって取得された画素データであっても、記録されないものがある。ここでは、記録された画像の画素数は２５０万画素であるとする。
【００７５】
範囲１３３は、パネルモニタ９０の画素数に対応する範囲であり、この例では１００万画素である。また、範囲１３４は、ビューファインダ９３の画素数に対応する範囲であり、この例では２５万画素である。
【００７６】
図９Ａには、実際にメディア９７に記録される画像データの範囲１４１が示されている。この範囲は、図８で示した範囲１３２に対応する。図９Ｂには、パネルモニタ９０のサイズに合わせて切り出し表示（縮小せずにそのまま表示）された画像データの範囲１４２が示されている。この範囲は、図８で示した範囲１３３に対応する。図９Ｃには、ビューファインダ９３のサイズに合わせて切り出し表示（縮小せずにそのまま表示）された画像データの範囲１４３が示されている。この範囲は、図８で示した範囲１３４に対応する。これらの表示範囲は、いずれも縮小がされていないため、モニタサイズの大きさに応じて、被写体の表示範囲が異なっていることが分かる。これは、図２および図３に関連して説明した、従来の画像処理装置１における被写体の表示範囲とは異なる。
【００７７】
図１０は、この発明の第１の実施形態に係る画像処理装置の一時点におけるパネルモニタ９０の表示内容と、ビューファインダ９３の表示内容の一例を示している。図１０Ａには、第１の時点における２５万画素のビューファインダ９３の表示内容が、図１０Ｂには、第１の時点における１００万画素のパネルモニタ９０の表示内容が示されている。この例では、図１０Ａのビューファインダには切り出し表示がされ、図１０Ｂのパネルモニタには縮小表示がされている。したがって、図１０Ａでは、図８の範囲１３４に示した範囲が縮小されずに表されているのに対し、図１０Ｂでは、図８の範囲１３３のサイズに、範囲１３２の画像データが縮小して表示されている。
【００７８】
これは、ユーザが、ビューファインダ９３に切り出し表示をさせるように指示したものである。この結果、ユーザは、ビューファインダ９３に表示された画像を見ることによって、詳細かつ鮮明に被写体の部分を確認することができ、正確なピント調整等が可能になるとともに、パネルモニタ９０に表示された画像を見ることによって、レンズがとらえた被写体の全体を把握することができる。
【００７９】
図１１は、この発明の第１の実施形態に係る画像処理装置の一時点におけるパネルモニタ９０の表示内容と、ビューファインダ９３の表示内容の他の例を示している。図１１Ａには、前述の第１の時点とは異なる第２の時点における２５万画素のビューファインダ９３の表示内容が、図１１Ｂには、第２の時点における１００万画素のパネルモニタ９０の表示内容が示されている。この例では、図１１Ａのビューファインダ９３には縮小表示がされ、図１１Ｂのパネルモニタ９０には切り出し表示がされている。したがって、図１１Ａでは、図８の範囲１３４のサイズに、範囲１３２の画像データが縮小して表示されているのに対し、図１１Ｂでは、図８の範囲１３３に示した画像データが縮小されずに表されている。
【００８０】
これは、ユーザが、パネルモニタ９０に切り出し表示をさせるように指示したものである。この結果、ユーザは、パネルモニタ９０に表示された画像を見ることによって、詳細かつ鮮明に被写体の部分を確認することができ、正確なピント調整等が可能になるとともに、ビューファインダ９３に表示された画像を見ることによって、レンズがとらえた被写体の全体を把握することができる。
【００８１】
上述した、この発明の第１の実施形態に係る画像処理装置においては、前述のように、パネルモニタ９０およびビューファインダ９３のどちらか一方を切り出し表示とし、他方を縮小表示とするように構成されているが、図７に示す切出処理回路９８を、両方のモニタサイズについて画像データの切り出しができるように構成するかまたは、パネルモニタ９０用の切出処理回路とビューファインダ９３用の切出処理回路をそれぞれ用意することによって、パネルモニタ９０およびビューファインダ９３の両方を切り出し表示とすることが可能である。また、画像処理装置は、３以上の表示装置を備えることも可能であり、それらのすべて、あるいは一部に切り出し表示を行うように切出処理回路９８を構成することもできる。
【００８２】
また、この発明の第１の実施形態に係る画像処理装置では、２つの表示装置（パネルモニタ９０およびビューファインダ９３）を有するように構成されているが、それ以上の表示装置を備えることも可能であり、それぞれについて縮小表示と切り出し表示を切り替えることができる。さらに、画像処理装置が１つの表示装置しか持たない場合でもこの発明を適用することが可能である。
【００８３】
次に、図１２ないし図１４を参照して、切り出し表示がされた場合の表示について説明する。切り出し表示は、従来の縮小表示に対して相対的には「拡大」された表示であるということもできる。したがって、これ以降、この切り出し表示のことを、適宜、「拡大表示」と称する。
【００８４】
画像処理装置は、図４に示したように、ユーザが手動で合焦操作（フォーカス操作）を行うことができるマニュアルフォーカスリング５４を備え、さらに、所定の操作部に拡大フォーカスキーを備える。所定の表示装置において拡大表示が行われるタイミングは、ユーザによるマニュアルフォーカスリング５４と拡大フォーカスキーの操作に基づいて決定される。拡大表示が行われるタイミングの例については、後で詳細に説明する。
【００８５】
図１２は、拡大表示がされる前後の表示装置における表示態様の一例を示す図である。ここで、表示装置は、たとえば、パネルモニタ９０あるいはビューファインダ９３のいずれかである。図１２Ａは、通常の表示状態を示しており、マニュアルフォーカスであることを意味するマニュアルフォーカスアイコン１６１が画面の下部に表示されている。図１２Ｂでは、上述のように、ユーザの所定の操作によって図１２Ａの表示内容が拡大表示された場合の表示態様が示されている（この状態を「拡大フォーカス」と称する）。また、このとき、拡大フォーカスであることを表すために、拡大フォーカスアイコン１６２が画面の下部に表示され、さらに、その右側に距離表示１６３（１０ｍ）が表示される。ユーザは、図１２Ａおよび図１２Ｂに示したようなアイコン等の表示によって、表示装置に表示された画像が縮小表示なのか拡大表示なのかを容易に判別することができる。
【００８６】
図１３は、拡大表示がされる前後の表示装置における表示態様の別の例を示す図である。図１３Ａは、通常の表示状態を示しており、画面の上部には、情報表示部１７１が示されている。情報表示部１７１には、バッテリー状態、ステータス、時間、ズーム情報等の各種情報が含まれる。図１３Ｂでは、上述のように、ユーザの所定の操作によって図１３Ａの表示内容が拡大表示された場合の表示態様が示されている。このとき、拡大フォーカスであることを表すために、拡大フォーカスアイコン１７２が画面の上部左側に表示され、また情報表示部１７１は表示されない。ユーザは、図１３Ｂのように、他の情報を排して非常に単純な形態で表された拡大フォーカスアイコン１７２によって、その表示が拡大表示であることを容易に理解することができる。
【００８７】
図１４は、拡大表示がされる前後の表示装置における表示態様のさらに別の例を示す図である。図１４Ａは、通常の表示状態を示しており、画面の上部には、情報表示部１８１が示されている。情報表示部１８１には、バッテリー状態、ステータス、時間等の各種情報が含まれる。さらに、図１４Ａの表示態様では、画面の下部にマニュアルフォーカスアイコン１８２も表示される。なお、ここで、「ＡＢＣ」の文字は、被写体である。図１４Ｂでは、上述のように、ユーザの所定の操作によって図１４Ａの表示内容が拡大表示された場合の表示態様が示されている（被写体である文字「ＡＢＣ」が拡大されている）。この例では、情報表示部１８１と同様の情報表示部１８３が画面の上部に表示されるとともに、拡大フォーカスアイコン１８４が画面の中央付近に表示され、さらに、拡大フォーカスであることを表すためのメッセージ１８５が、拡大フォーカスアイコン１８４の下側に表示される。ユーザは、図１４Ｂのように、画面に拡大フォーカスアイコン１８４とメッセージ１８５が表示されることによって、その表示が拡大表示であることを容易に理解することができる。
【００８８】
これまで、図１２ないし図１４を参照して、拡大表示がされる前後の表示装置における表示態様をいくつか説明してきたが、この発明の範囲がこれらの表示態様に限られるものではなく、拡大フォーカスであることを表すための、他の多くの方法が存在する。また、上述の例では、拡大フォーカスであることを示す所定の情報表示が、被写体が映された記録・撮像画像の表示の上に重複して表示されているが、拡大フォーカスであることを、表示装置以外の、たとえば、画像処理装置のＬＥＤ（Light Emitting Diode）表示部等に示すようにすることもできる。
【００８９】
図１２ないし図１４における表示態様において、拡大フォーカスであることを表す拡大フォーカスアイコン等は、被写体の画像の上に重ねて表示されるが、これは、たとえばＯＳＤ（On Screen Display）機能を用いて実現される。ＯＳＤ機能は、表示装置にメニューを表示させたり、設定内容を表示させたりする場合にも用いられるものである。ここで、図１５を参照して、ＯＳＤ機能を実現するための構成について説明する。
【００９０】
図１５に示すＯＳＤシステム２００は、制御マイコン２０１、ＨＤ（High Definition）用ＯＳＤ２０２、Ｉ／Ｆ２０３、ビットマップＯＳＤ２０４、およびダウンコンバータ２０５を含んでいる。ＨＤ用ＯＳＤ２０２は、主として、ＨＤ品質の出力画像に、所定の表示情報をオーバーラップ表示させる回路であり、ビットマップＯＳＤ２０４は、主として、ＳＤ（Standard Definition）品質の出力画像に、所定の表示情報をオーバーラップ表示させる回路である。
【００９１】
制御マイコン２０１は、図６に示す画像処理装置に対するユーザの操作に応じて、ＨＤ用ＯＳＤ２０２およびビットマップＯＳＤ２０４の動作を制御する。たとえば、制御マイコン２０１は、ＯＳＤ機能によってどのような表示情報を出力するかや、どのようなサイズの画像にその表示情報をオーバーラップさせるか等について、対応する機能をそれぞれ動作させるよう制御する。また、制御マイコン２０１とビットマップＯＳＤ２０４との間にはＩ／Ｆ２０３が介在し、両者の間のデータを仲介する。
【００９２】
ＳＤ品質の画像データであるＳＤデータは、たとえば、記録・撮像・再生画像のデータであり、これらはダウンコンバータ２０５に提供され、ユーザの指示等に応じて、パネルモニタ、ビューファインダ、ＳＤデータ出力端子、およびＳＤデータ録画系に出力される。ここで、パネルモニタやビューファインダに出力する場合には、ダウンコンバータ２０５による縮小処理が行われ、画像データの画素数が、パネルモニタやビューファインダの表示サイズに調整される。それぞれの表示装置・端子への出力の際に、オーバーラップして表示させる表示情報がある場合には、その表示情報が、ビットマップＯＳＤ２０４から提供される。たとえば、ＳＤデータがパネルモニタに提供される場合、パネルモニタの表示サイズに合わせて縮小された、ダウンコンバータ２０５からの画像データと、ビットマップＯＳＤ２０４から提供された表示情報が、加算器２０８によって合成され、パネルモニタに出力される。ＳＤデータがビューファインダに提供される場合、ビューファインダの表示サイズに合わせて縮小された、ダウンコンバータ２０５からの画像データと、ビットマップＯＳＤ２０４から提供された表示情報が、加算器２０９によって合成され、ビューファインダに出力される。
【００９３】
ＳＤデータがＳＤデータ出力端子に提供される場合、ダウンコンバータ２０５では縮小処理はされず、元のデータサイズの画像データと、ビットマップＯＳＤ２０４から提供された表示情報が、加算器２１１ないし加算器２１３によって合成され、ＳＤデータ出力端子に出力される。ＳＤデータ出力端子は、たとえば、外部ＳＤモニタ等に接続され、ＳＤ出力端子に出力されたＳＤデータは、その外部ＳＤモニタに表示される。また、ＳＤデータがＳＤデータ録画系に提供される場合、ここでもダウンコンバータ２０５での縮小処理はされず、元のデータサイズの画像データと、ビットマップＯＳＤ２０４から提供された表示情報が、加算器２１２によって合成され、ＳＤデータ録画系に出力される。こうして出力されたＳＤデータは、たとえば所定の記録装置等に入力され、所定のフォーマットで録画される。
【００９４】
ＨＤ品質の画像データであるＨＤデータもまた、記録・撮像・再生画像のデータ等であり、これらのデータは、ＨＤ用ＯＳＤ２０２から提供された表示情報と、加算器２０６で合成され、ＨＤデータ録画系に出力される。こうして出力されたＨＤデータは、たとえば所定の記録装置等に入力され、所定のフォーマットで録画される。また、ＨＤデータは、ＨＤ用ＯＳＤ２０２から提供された表示情報と、加算器２０７で合成され、ダウンコンバータ２０５に提供され、さらにそこから、ユーザの指示等に応じて、パネルモニタ、ビューファインダ、ＨＤデータ出力端子、ＳＤデータ出力端子、およびＳＤデータ録画系に出力される。
【００９５】
パネルモニタやビューファインダに出力する場合には、ダウンコンバータ２０５による縮小処理が行われ、画像データの画素数が、パネルモニタやビューファインダの表示サイズに調整される。ここで、ＨＤ用ＯＳＤ２０２からの表示情報は、加算器２０７によってＨＤデータと合成されてからダウンコンバータ２０５に提供される。また、ＨＤデータがＳＤデータ出力端子に提供される場合、オーバーラップ表示される表示情報は、パネルモニタ等に出力される場合と同様、ＨＤ用ＯＳＤ２０２から提供され、それが、加算器２０７によってＨＤデータと合成され、ダウンコンバータ２０５に提供される。ダウンコンバータ２０５は、入力された合成後のＨＤデータをＳＤデータに縮小し、それを所定のＳＤデータ出力端子に出力する。ＳＤデータ出力端子は、たとえば、外部ＳＤモニタ等に接続され、ＳＤ出力端子に出力されたＳＤデータは、その外部ＳＤモニタに表示される。また、ダウンコンバータ２０５によって縮小されたＳＤデータは、ＳＤデータ録画系にも出力される。こうして出力されたＳＤデータは、記録装置等に入力され所定のフォーマットで録画される。
【００９６】
ＨＤデータがＨＤデータ出力端子に出力される場合、ダウンコンバータ２０５は、そのまま出力し、その後、加算器２１０によって、ＨＤ用ＯＳＤ２０２からの表示情報と合成され、ＨＤ出力端子に提供される。ＨＤデータ出力端子は、たとえば、外部ＨＤモニタ等に接続され、ＨＤ出力端子に出力されたＨＤデータは、その外部ＨＤモニタに表示される。
【００９７】
図１５に示すＯＳＤシステム２００は、実質的には、図６に示した画像処理システム８１に一体的に組み込まれるものであるが、ここでは、ＯＳＤシステム２００の説明を容易にするため、ＯＳＤを実現するための機能を抜き出して表してある。ここで、図６の制御マイコン８７は、図１５の制御マイコン２０１に対応する。また、図６の表示処理回路８９、表示処理回路９２、および表示処理回路９４に、点線で囲まれた「ＯＳＤ」から制御が行われているように表現されているのは、図１５に関連して上記で説明したように、ＯＳＤシステム２００によって、画像データに一定の表示情報が付加され、そのように表示情報の付加された画像データが、パネルモニタ９０やビューファインダ９３に出力されることを意味している。
【００９８】
また、図１５を参照して説明したＯＳＤシステム２００は、単なる例示に過ぎず、他の構成によってもＯＳＤ機能を実現することが可能であり、この発明の範囲を、例示したものに限定すべきでない。
【００９９】
次に、図１６ないし図２０を参照して、表示装置において拡大表示が行われるタイミングについて説明する。前述のように、表示装置において拡大表示が行われるタイミングは、ユーザによるマニュアルフォーカスリング５４の操作（フォーカス操作）と拡大フォーカスキーの操作（たとえば、拡大フォーカスキーの押下）に基づいて決定される。
【０１００】
図１６ないし図２０のタイミングチャートでは、拡大フォーカスキーを押下するタイミング、フォーカス操作のタイミング、フォーカス操作の履歴、拡大フォーカスタイマー、および表示装置の拡大状態がそれぞれ示されている。拡大フォーカスキーを押下するタイミングについては、キーの押下を行う場合を立ち上がりとして示し、押下したキーを戻す場合を立ち下がりとして示している。また、フォーカス操作のタイミングについては、操作を開始する場合を立ち上がりとして示し、操作の終了を立ち下がりとして示している。拡大フォーカスタイマーについては、タイマーの開始が立ち上がりに対応し、タイマーによる計時とともに高さが減少して右下がりの線となり、この高さがゼロとなったところでタイマーが終了する。拡大状態を示す場合は、立ち上がりで拡大表示が開始され、立ち下がりで拡大表示が終了する。
【０１０１】
図１６は、拡大表示タイミングの第１の例を示すものである。図１６の例では、タイミングｔ１からタイミングｔ２まで拡大フォーカスキーが押下される。そうすると、拡大フォーカスキーの押下に応じて、表示装置の拡大表示がタイミングｔ５より開始される。タイミングｔ１とタイミングｔ５が同一のタイミングとして表示されていないのは、制御等による遅れを考慮したものであるが、このような遅れは極めて小さい。ここでは、こうした遅れを分かり易く示しているに過ぎない。このことは、図１６ないし図２０のタイミングチャートの他の部分に関しても同様である。
【０１０２】
拡大フォーカスキーの押下が終了すると（タイミングｔ２）、それに応じて、タイミングｔ３から拡大フォーカスタイマーが起動し、５秒間計時する。タイミングｔ４（すなわち、タイミングｔ３の５秒後）に拡大フォーカスタイマーが終了し、これに応じて、タイミングｔ６で、表示装置の拡大表示が解除される。
【０１０３】
すなわち、図１６の場合は、拡大表示が、拡大フォーカスキーの押下によって始まり、拡大フォーカスキーの押下の終了から５秒後に終了する。
【０１０４】
図１７は、拡大表示タイミングの第２の例を示すものである。図１７の例では、まず、タイミングｔ１１からタイミングｔ１２まで拡大フォーカスキーが押下される。そうすると、拡大フォーカスキーの押下に応じて、表示装置の拡大表示がタイミングｔ１７より開始される。拡大フォーカスキーの押下が終了すると（タイミングｔ１２）、それに応じて、タイミングｔ１５から拡大フォーカスタイマーが起動し、５秒間計時する。ここでは、この５秒間の計時が終了する前に、ふたたび、タイミングｔ１３で拡大フォーカスキーが押下される。そうすると、これに応じて拡大フォーカスタイマーによる計時が中断し（タイミングｔ１６）、これに応じて、拡大表示がタイミングｔ１８で強制終了される。
【０１０５】
すなわち、図１７の場合は、拡大表示の間に拡大フォーカスキーを押下すると、拡大表示が中断され、通常の表示（縮小表示）に戻る。
【０１０６】
図１８は、拡大表示タイミングの第３の例を示すものである。図１８の例では、まず、タイミングｔ２１からタイミングｔ２２まで拡大フォーカスキーが押下される。そうすると、拡大フォーカスキーの押下に応じて、表示装置の拡大表示がタイミングｔ３１より開始される。拡大フォーカスキーの押下が終了すると（タイミングｔ２２）、それに応じて、タイミングｔ２７から拡大フォーカスタイマーが起動し、５秒間計時する。ここでは、この５秒間の計時の間に、ユーザによるフォーカス操作が行われる（タイミングｔ２３）。
【０１０７】
このフォーカス操作の開始に応じ、タイミングｔ２８で拡大フォーカスタイマーの計時が中断され、同時にフォーカス操作履歴が記録される（タイミングｔ２５）。次に、フォーカス操作がタイミングｔ２４で終了すると、これに応じて、拡大フォーカスタイマーが、タイミングｔ２９から２秒間の計時を開始する。拡大フォーカスタイマーが２秒を計時してタイミングｔ３０になると、これに応じて、拡大表示が終了し（タイミングｔ３２）、それと同時に、フォーカス操作履歴の記録が終了する（タイミングｔ２６）。
【０１０８】
すなわち、図１８の場合は、拡大表示の間にフォーカス操作を行うと、フォーカス操作の終了後２秒経って拡大表示が終了する。
【０１０９】
図１９は、拡大表示タイミングの第４の例を示すものである。図１９の例では、まず、タイミングｔ４３において、フォーカス操作が開始され、その後、タイミングｔ４１からタイミングｔ４２まで拡大フォーカスキーが押下される。そうすると、拡大フォーカスキーの押下に応じて、表示装置の拡大表示がタイミングｔ４９より開始され、これとともに、タイミングｔ４５で、フォーカス操作履歴が記録される。次に、タイミングｔ４２で、拡大フォーカスキーの押下が終了する。
【０１１０】
その後、タイミングｔ４４でフォーカス操作が終了すると、それに応じて、タイミングｔ４７から拡大フォーカスタイマーが起動し、２秒間計時する。拡大フォーカスタイマーによる２秒の計時が終了すると（タイミングｔ４８）、これに応じて、タイミングｔ５０で拡大表示が終了し、これとともに、タイミングｔ４６でフォーカス操作履歴の記録が終了する。
【０１１１】
すなわち、図１９の場合は、フォーカス操作中に拡大フォーカスキーを押下すると、その押下によって拡大表示が開始され、フォーカス操作の終了後２秒経って拡大表示が終了する。
【０１１２】
図２０は、拡大表示タイミングの第５の例を示すものである。図２０の例では、タイミングｔ６１からタイミングｔ６２まで拡大フォーカスキーが押下される。そうすると、拡大フォーカスキーの押下に応じて、表示装置の拡大表示がタイミングｔ６９より開始される。その後、フォーカス操作がタイミングｔ６３で開始されると、これに応じて、タイミングｔ６５で、フォーカス操作履歴の記録が開始される。
【０１１３】
次に、拡大フォーカスキーが押下されている状態で、フォーカス操作が終了し（タイミングｔ６４）、その後、拡大フォーカスキーの押下がタイミングｔ６２で終了する。そうすると、この拡大フォーカスキーの押下の終了に応じて、タイミングｔ６７から拡大フォーカスタイマーが起動し、２秒間計時する。拡大フォーカスタイマーによる２秒の計時が終了すると（タイミングｔ６８）、これに応じて、タイミングｔ７０で拡大表示が終了し、これとともに、タイミングｔ６６でフォーカス操作履歴の記録が終了する。
【０１１４】
すなわち、図２０の場合は、拡大フォーカスキーの押下を続けたままフォーカス操作を開始・終了すると、拡大フォーカスキーの押下によって拡大表示が開始され、拡大フォーカスキーの押下の終了後２秒経って拡大表示が終了する。
【０１１５】
以上、図１６ないし図２０のタイミングチャートを通して、拡大表示がされるタイミングを説明してきたが、これらは単なる例示に過ぎず、他の様々な態様が考えられる。また、表示装置ごとに、拡大表示が行われる操作を変えるように構成することもできる。
【０１１６】
図２１は、画像処理装置における拡大フォーカスボタンの配置例を示したものである。また、図２１に示した部分は、図４のディジタルビデオカメラ５０の操作部５８の上部に対応する部分である。
【０１１７】
操作部２３０の中央上部には拡大フォーカスキー２３１が配置されており、ユーザは、パネルモニタ９０やビューファインダ９３に、拡大された画像を表示したい場合に、拡大フォーカスキー２３１を押下する。拡大フォーカスキー２３１の隣には、ズームボタン２３２が配置されており、「Ｗ」のマークの方を押下すると、広角となり、「Ｔ」のマークの方を押下すると、望遠となる。また、ボタン２３３は、バッテリーを取り外すためのボタンであり、ボタン２３４は、画像データを記録するカセットを取り出すためのイジェクトボタンである。
【０１１８】
この発明の第１の実施形態に係る画像処理装置では、一方の表示装置については、その表示装置のモニタサイズに合わせた縮小がされた撮像画像が表示され、他方の表示装置については、その表示装置のモニタサイズに合わせた画像が、撮像画像から切り出されて表示されるよう構成されているが、この構成をより拡張し、２つの表示装置において、縮小率の異なる画像を表示させるよう構成することもできる。たとえば、パネルモニタ９０（１００万画素）には、撮像画像（２５０万画素）のすべてが１００万画素に縮小されて表示され、ビューファインダ９３（２５万画素）には、撮像画像の一部（１００万画素）が縮小されて表示される。このような構成にすることによって、ビューファインダ９３には、上述した切り出し画像より（縮小またはフィルタ処理によって）ぼやけた画像が表示される可能性があるが、より広範囲を表示することができ、撮像画像のすべてを圧縮して表示するより鮮明な表示画像が得られる可能性がある。
【０１１９】
次に、この発明の第２の実施形態に係る画像処理装置について説明する。この発明の第２の実施形態に係る画像処理装置は、図４で示した、この発明の第１の実施形態に係る画像処理装置と同様の外観からなる。この発明の第２の実施形態は、効果的なピーキング処理を実現する画像処理装置である。ピーキング処理とは、画像のエッジ成分を強調する処理であり、これによってフォーカスがあわせやすくなる。この実施形態では、強調されるエッジ部分（ピーキング部分）に付される色と、ピーキングのレベルを任意に選択可能としている。
【０１２０】
最初に、ピーキング処理を実現する回路について、図２２を参照して説明する。遅延回路２５１ないし遅延回路２５３は、輝度データ（ｄａｔａ＿ｙ）から、隣接する画素データＤ１ないし画素データＤ３をそれぞれ出力する。こうして出力された画素データＤ１には−１が、画素データＤ２（中心画素）には２が、画素データＤ３には−１が、それぞれ掛けられ、加算器２５４に入力される。加算器２５４の出力は、乗算器２５５に提供される。乗算器２５５は、さらにエンハンス値（ｅｎｈ）を入力し、ピーキング処理結果を加算器２５６と判定回路２５７に出力する。
【０１２１】
加算器２５６は、乗算器２５５からのピーキング処理結果と画素データ２を入力し、加算結果をスイッチ２５８に提供する。また、判定回路２５７は、乗算器２５５からのピーキング処理結果と画素データ２を入力し、ピーキング処理で所定のしきい値を越えたものがあるかどうかを判定する。所定のしきい値を越えた画素データがある場合、色選択情報で指定された色にその画素データの色を置き換える。判定回路２５７の出力は、スイッチ２５８に提供される。スイッチ２５８は、ユーザから指示等に応じて、判定回路２５７から入力した画素データと、加算器２５６からの画素データとを切り替えて出力する。
【０１２２】
次に、図２３を参照して、ピーキング処理を行うためのスライドスイッチについて説明する。図２３に示すスライドスイッチ２７１は、図５に示すスライドスイッチ６１を拡大して示したものである。スライドスイッチ２７１は、矢印２７３の方向にスライドさせることによってピーキング処理を実行し、矢印２７２の方向にスライドさせることによってゼブラ処理を実行するようになっている。このように、この画像処理装置では、ユーザが、スライドスイッチ２７１のようなハードキーを操作することによってピーキング処理かゼブラ処理のどちらかが実行され、両方の処理が同時に実行されることはない。また、ゼブラ処理の内容については、後で説明する。
【０１２３】
次に、図２４ないし図２６を参照して、ピーキング処理が行われた場合の表示内容と、ピーキング処理に用いられる色、およびピーキングのレベルを選択する画面について説明する。図２４Ａは、パネルモニタ９０またはビューファインダ９３の表示画像であり、この例では、カバン２９１が被写体として選択されている。画像のエッジ部分２９２ないしエッジ部分２９５が、強調表示されたエッジ部分であるとする。ここで、検出されるエッジ部分は、被写体であるカバンの輪郭であるとはかぎらない。カバンの皺や、光の反射部分がエッジ部分として検出されることもある。また、図２４ないし図２６は、ピーキング処理に関する概要を説明するために用いる概念図であり、エッジ部分の描写について厳密なものとなっていないことに注意すべきである。
【０１２４】
図２４Ａは、検出されたエッジ部分２９２ないしエッジ部分２９５が強調表示された例である。この例では、エッジ部分の輝度が強調され、その部分については「ぎらつく」ような表示がなされる。図２４Ｂは、図２４Ａで示された、検出されたエッジ部分２９２ないしエッジ部分２９５に所定の色付けをしたものである。色付部分３０２ないし色付部分３０５の位置は、それぞれ図２４Ａのエッジ部分２９２ないしエッジ部分２９５の位置に対応する。このように、周辺画素と大きく輝度が異なるようなエッジ部分に色付けをすることにより、当該部分が強調して表示される。
【０１２５】
図２５Ａは、ピーキング処理についての設定内容を、ＯＳＤ機能を用いて表示した画面（パネルモニタ９０やビューファインダ９３の表示内容）の例である。ＯＳＤ機能によって表示されているため、背後には、被写体であるカバンの画像が表示されている。設定内容表示は、「ピーキング」と表示されたタイトル部３２１と、ピーキング処理に用いられる色とピーキングのレベルが示された内容表示部３２２と、表示を終了する際に選択する終了指示部３２３からなる。ここで、内容表示部３２２内の「カラー」と表示された部分３２４を選択し決定すると、図２５Ｂのような表示内容となる。また、この場合、上記の選択操作と決定操作は、たとえば、図５に示すような選択決定ボタン６３を使用して行われる。
【０１２６】
図２５Ｂには、カラー選択表示がされており、「カラー」と表示されたタイトル部３３１と、色の候補（白、赤、黄）がリストされている色候補表示部３３２と、表示を終了する際に選択する終了指示部３３３からなっている。ここで、たとえば、ピーキング処理に用いられる色が「白」となっている場合は、「白」と表示された部分３３４がハイライト表示等される。これを「赤」に変更するためには、たとえば、図５に示す選択決定ボタン６３を用いて色候補表示の中から「赤」を選択し、決定する。このように、ピーキング処理に用いられる色は、ＧＵＩ（Graphical User Interface）を用いて容易に設定することができ、たとえば、撮影対象ごとに、これを変更するようにすることもできる。また、ピーキング処理に用いられる色の種類は、ここでは３種類となっているが、任意の数の色とすることが可能である。ここで選択された色が、図２２に関連して説明した色選択情報の内容として反映される。
【０１２７】
図２５Ａに示す表示状態おいて、内容表示部３２２内の「レベル」と表示された部分を選択し決定すると、図２６のような表示内容となる。図２６には、レベル選択表示がされており、「レベル」と表示されたタイトル部３５１と、レベルの候補（高、中、低）がリストされているレベル候補表示部３５２と、表示を終了する際に選択する終了指示部３５３からなっている。ここで、たとえば、ピーキングのレベルが「中」となっている場合は、「中」と表示された部分３５４がハイライト表示等される。これを「高」に変更するためには、たとえば、図５に示す選択決定ボタン６３を用いてレベル候補表示の中から「高」を選択し、決定する。このように、ピーキングのレベルは、ＧＵＩを用いて容易に設定することができ、たとえば、撮影対象ごとに、これを変更するようにすることもできる。また、ピーキングのレベルの種類は、ここでは３種類となっているが、任意の数のレベルとすることが可能である。このレベルの内容によって、図２２に関連して説明したしきい値の内容が調整される。
【０１２８】
これまで説明してきたピーキング処理は、この発明の第１の実施形態に関して説明した拡大フォーカスと組み合わせて使用することができる。たとえば、拡大フォーカスキーを押下してパネルモニタまたはビューファインダの表示内容を拡大させながら、スライドスイッチ２７１を、ピーキング処理を実行する方向にスライドさせて、強調表示されたエッジ部分を表示させることができる。
【０１２９】
次に、この発明の第３の実施形態に係る画像処理装置について説明する。この発明の第３の実施形態に係る画像処理装置は、図４で示した、この発明の第１の実施形態に係る画像処理装置と同様の外観からなる。この発明の第３の実施形態は、ゼブラ処理に関して改良を加えるものである。ゼブラ処理は、露出オーバーで白トビが発生する可能性のある部分を縞模様で表示する機能である。
【０１３０】
最初に、ゼブラ処理を実行する回路の概要について、図２７を参照して説明する。輝度データ（ｙ＿ｉｎ）は、最初に、ダイナミックレンジ変更回路３７１に提供され、そこで、たとえば、０〜２５５の範囲から、０〜２３９の範囲へとダイナミックレンジの変更をし、さらに、ダイナミックレンジの範囲を実質的に１１０とする処理を含む輝度データの変更処理が行われる。ダイナミックレンジ変更回路３７１の出力データは、一方で、遅延回路３７２を介して出力され（ｚｂｒ＿ｙ）、他方で、輝度判定回路３７３に送信される。
【０１３１】
輝度判定回路３７３では、ダイナミックレンジ変更回路３７１によって変更された輝度データの値が所定の範囲であった場合に、データ「１」を出力する。ＡＮＤ回路３７４には、この輝度判定回路３７３の出力、クロック信号（ｚｂｒ＿ｃｌｋ）、およびゼブラ処理実行信号（ｚｂｒ＿ｏｎ）が入力され、出力は遅延回路３７５に提供され、そこでｚｂｒが出力される。ここで、ゼブラ処理実行信号（ｚｂｒ＿ｏｎ）は、たとえば、上述のスライドスイッチ２７１が、ゼブラ処理を実行する方向にスライドされている場合に「１」となる。
【０１３２】
輝度判定回路３７３は、「１」を出力するための条件を複数、たとえば８通り保持しており、設定によって、そのうちの１つを選択する。すなわち、これが、ゼブラパターンを表示する基準となる輝度の範囲となる。８通りの条件は、たとえば以下のようなものである。ここで、輝度判定回路３７３に入力される輝度データは、ｔｍｐ＿ｚｂｒ＿ｙとする。
（１）１４２≦ｔｍｐ＿ｚｂｒ＿ｙ≦１６４
（２）１５３≦ｔｍｐ＿ｚｂｒ＿ｙ≦１７５
（３）１６４≦ｔｍｐ＿ｚｂｒ＿ｙ≦１８６
（４）１７５≦ｔｍｐ＿ｚｂｒ＿ｙ≦１９７
（５）１８６≦ｔｍｐ＿ｚｂｒ＿ｙ≦２０８
（６）１９７≦ｔｍｐ＿ｚｂｒ＿ｙ≦２１９
（７）２０８≦ｔｍｐ＿ｚｂｒ＿ｙ≦２３０
（８）２１９≦ｔｍｐ＿ｚｂｒ＿ｙ≦２３９
ただし、このような、輝度判定回路３７３における条件は、より多く用意することもできるし、ユーザが、具体的な数値を指定するように構成することも可能である。
【０１３３】
また、ゼブラ処理を行うよう指示するためのスライドスイッチは、前述した、図２３に示すスライドスイッチ２７１であり、矢印２７２の方向にスライドさせることによってゼブラ処理を実行するようになっている。
【０１３４】
ここで、ゼブラ処理が行われた場合の表示の例について、図２８を参照して説明する。図２８Ａおよび図２８Ｂは、パネルモニタ９０またはビューファインダ９３の表示画像であり、書類３９０が被写体として選択されている。図２８Ａは、ゼブラ処理がオンとなっている場合の表示内容であり、白トビが発生する可能性のある部分（より、詳細には、設定された輝度の範囲にある画素を有する部分）に縞模様３９１が表示されている。これに対し、図２８Ｂは、同じ被写体を同じ条件で撮影したものであるが、ゼブラ処理がオフとなっており、縞模様は表示されていない。
【０１３５】
次に、図２９および図３０を参照して、ゼブラパターンを表示する基準となる輝度の範囲を表示する態様について説明する。図２９および図３０に表された輝度範囲表示は、ＯＳＤ機能を用いて表示した画面（パネルモニタ９０やビューファインダ９３の表示内容）の例である。そのため、背後には、被写体である書類３９０が表示されている。
【０１３６】
ユーザは、画像処理装置の操作部において所定の操作を行うことによって輝度範囲表示をさせることができ、これによって、現在設定されている輝度範囲を把握することができる。図２９Ａには、輝度範囲表示の一例が示されている。輝度範囲表示３９２には、「ゼブラレベル」と表示されたタイトル、０〜１１０までの数値に対応するバー、および「７３±１２」と表示された範囲表示が含まれている。ここで、バーの中の黒帯状部分が、ゼブラパターンを表示する基準となる輝度の範囲である。この例では、バーの全体が０〜１１０までの範囲として示されているが、前述の輝度判定回路３７３における輝度の値に対応付ければ、１２９〜２３９となる。また、「７３±１２」の範囲表示は、バーの中の黒帯状部分に対応する。すなわち、６１（＝７３−１２）〜８５（７３＋１２）の範囲に該当する場合に、ゼブラパターンを表示する設定となっている。６１〜８５という範囲は、輝度判定回路３７３における輝度の値に対応付ければ、１９０〜２１４となる。また、表示を終了する際に選択する終了指示部３９３も表示されており、たとえば、図５に示す選択決定ボタン６３を用いて、この部分を選択・決定すれば、表示が終了する。
【０１３７】
図２９Ｂには、輝度範囲表示の別の態様が示されている。図２９Ｂの表示も、図２９Ａの場合と同じく、ＯＳＤ機能による表示である。輝度範囲表示３９４には、「ゼブラレベル」と表示されたタイトル、０〜１１０までの数値に対応するバー、および「７６以上」と表示された範囲表示が含まれている。ここで、バーの中の黒帯状部分が、ゼブラパターンを表示する基準となる輝度の範囲である。この例では、バーの全体が０〜１１０までの範囲として示されている。また、「７６以上」の範囲表示は、バーの中の黒帯状部分に対応し、バーのうち、７６の値の該当する位置から右側が黒帯状部分となっている。また、表示を終了する際に選択する終了指示部３９５も図２９Ａと同様に表示されている。
【０１３８】
図３０には、輝度範囲表示のさらに別の態様が示されている。図３０の表示も、図２９Ａの場合と同じく、ＯＳＤ機能による表示である。輝度範囲表示３９６には、「ゼブラレベル」と表示されたタイトル、０〜１１０までの数値に対応するバー、および「７２以下」と表示された範囲表示が含まれている。ここで、バーの中の黒部分が、ゼブラパターンを表示する基準となる輝度の範囲である。この例では、バーの全体が０〜１１０までの範囲として示されている。また、「７２以下」の範囲表示は、バーの中の黒帯状部分に対応し、バーのうち、７２の値の該当する位置から左側が黒帯状部分となっている。また、表示を終了する際に選択する終了指示部３９７も図２９Ａと同様に表示されている。
【０１３９】
次に、図３１を参照して、ゼブラパターンを表示する基準となる輝度の範囲を設定する態様について説明する。図３１に表された輝度範囲設定表示は、ＯＳＤ機能を用いて表示した画面（パネルモニタやビューファインダの表示内容）の例であり、ユーザは、画像処理装置の操作部において所定の操作を行うことによって、この輝度範囲設定表示を表示させることができる。背後には、被写体である書類３９０が表示されている。
【０１４０】
ユーザは、輝度範囲設定表示により、現在設定されている輝度範囲を変更して新たな輝度範囲を設定することができる。図３１に示された輝度範囲設定表示４０１には、「ゼブラ範囲」と表示されたタイトル、０〜１１０までの数値に対応するバー、および「７３±１０」の表示と、このうち「１０」の部分の上下方向にそれぞれ配置された三角マークを含む範囲表示が含まれている。ここで、バーの中の黒帯状部分が、ゼブラパターンを表示する基準となる輝度の範囲である。また、範囲表示のうち、「１０」の部分は、たとえば、図５に示すような選択決定ボタン６３を用いて上記三角マークを選択・決定することによって、他の数字に変更することが可能である。図３１には、表示を終了する際に選択する終了指示部４０２も表示されており、たとえば、図５に示す選択決定ボタン６３を用いて、この部分を選択・決定すれば、表示が終了するとともに、輝度範囲の変更が反映される。
【０１４１】
次に、図３２を参照して、ゼブラパターンを表示する基準となる輝度の範囲を表示する際の、画面遷移の概要について説明する。ノーマル画面４１１は、単に被写体が映し出されている通常時の画面である。ここで、画像処理装置の操作部において所定の操作を行うと、メニュー画面４１３の表示された画面４１２に遷移する。メニュー画面４１３は、たとえば、ＯＳＤ機能を用いて表示される。メニュー画面４１３には、いくつかの表示項目のリストが表示され、そのうちの１つとして「ゼブラレベル」が表示される。この部分を、たとえば、図５に示す選択決定ボタン６３を用いて選択すると、右側に、現在の設定内容が表示される。この場合では、「９５±１０」が表示される。ここで、選択決定ボタン６３を用いて、決定をすると、画面４１６に遷移する。また、表示を終了する際に選択する終了指示部を、選択決定ボタン６３を用いて選択し、決定すると、ノーマル画面４１１に戻る。
【０１４２】
ノーマル画面４１１が表示されている場合に、上記とは別の操作をすると、メニュー画面４１５の表示された画面４１４に遷移する。メニュー画面４１５は、たとえば、ＯＳＤ機能を用いて表示される。メニュー画面４１５は、メニュー画面４１３と同様のリストが表示される。「ゼブラレベル」の項目を、たとえば、図５に示す選択決定ボタン６３を用いて選択すると、右側に、現在の設定内容が表示される。この場合では、「９５±１０」が表示される。ここで、選択決定ボタン６３を用いて決定をすると、画面４１６に遷移する。画面４１４とメニュー画面４１５は、所定の操作によって相互に遷移が可能である。また、表示を終了する際に選択する終了指示部を、選択決定ボタン６３を用いて選択し、決定すると、ノーマル画面４１１に戻る。
【０１４３】
画面４１６では、レベル表示画面４１７が表示され、ここには、「ゼブラレベル」と表示されたタイトル、０〜１１０までの数値に対応するバー、および「９５±１０」と表示された範囲表示が含まれる。ここで、表示を終了する際に選択する終了指示部を、選択決定ボタン６３を用いて選択し、決定すると、ノーマル画面４１１に戻る。また、表示を終了する際に選択する終了指示部を、選択決定ボタン６３を用いて選択し、決定すると、ノーマル画面４１１に戻る。また、別の操作によって、前の画面（すなわち、画面４１２または画面４１４）に戻ることもできる。
【０１４４】
このような画面の遷移は、図３１で説明した輝度の範囲を設定する画面についても同様に実現される。
【０１４５】
このように、ゼブラパターンを表示する基準となる輝度の範囲をユーザが任意に設定できるため、ユーザは、ゼブラパターンを表示させる条件を、従来より詳細かつ自由に設定することができるようになった。
【０１４６】
次に、この発明の第４の実施形態に係る画像処理装置ついて説明する。この発明の第４の実施形態に係る画像処理装置は、図４で示した、この発明の第１の実施形態に係る画像処理装置と同様の外観からなる。この発明の第４の実施形態は、ホワイトバランスの処理に関するものである。
【０１４７】
ここで、ホワイトバランスについて概略的に説明する。先ず、色温度について説明する。色温度は、完全黒体を熱したときに完全黒体から放射される放射光の色であり、その色と温度とは、１：１の関係で定義づけられる。ある色の放射光を完全黒体に放射させるために必要な温度が色温度の単位であり、熱力学的温度の単位である「Ｋ」（ケルビン）で表現される。完全黒体からの放射光の色は、完全黒体の温度が高くなるにつれて、色度が赤から白、さらに青の方向に変化する。そのため、全体的に赤みが強い画面を「色温度が低い」と表現し、全体的に青みが強い画面を「色温度が高い」と表現することが可能となる。一般的な光源の色温度は、６０Ｗタングステン白熱電灯で約２８００Ｋ、昼光太陽光で約５６００Ｋ、昼光色の蛍光灯で約６５００Ｋなどとなっている。
【０１４８】
ホワイトバランスは、ビデオカメラなどの調整機能の一つであり、ある色温度の光源下で撮影された白い物体の色が、偏りのない白色に撮影されるように、赤色（Ｒ）、緑色（Ｇ）および青色（Ｂ）各色のバランスを調節する機能である。
【０１４９】
ビデオカメラで、たとえば、６０Ｗタングステン白熱電灯のような色温度が低い光源下でホワイトバランスの調整を行った場合、その光源下では、白い物体は白色に撮影される。しかしながら、そのホワイトバランス設定のままで、より色温度の高い、たとえば、昼光太陽光下に移動して撮影を行った場合、白色の物体は、青みがかった白として撮影されてしまうことになる。そのため、色温度が異なる光源の元で撮影を行う際には、その都度、ホワイトバランス調整を行う必要がある。
【０１５０】
最初に、この発明のホワイトバランスの処理を実現する回路の構成について、図３３を参照して説明する。ＣＣＤ４３１に結像された被写体光は、ＣＣＤ４３１の各画素の色フィルタによって、Ｒ、Ｇ、Ｂに分けられ、光電変換される。次に、この光電変換された信号は、サンプルホールド・ＡＧＣ回路４３２によってサンプリングおよび増幅され、Ａ／Ｄコンバータ４３３によってディジタル信号に変換される。
【０１５１】
Ｒ、Ｇ、Ｂそれぞれのディジタル信号は、ホワイトバランスアンプ４３４を介して出力信号として取り出されるとともに、ＷＢアンプゲイン設定ブロック４３６に送信される。ＷＢアンプゲイン設定ブロック４３６はまた、色温度に応じて設定されたＲＧＢアンプゲインを入力し、そこで、ＷＢアンプゲイン４３５が求められる。ホワイトバランスアンプ４３４は、ＷＢアンプゲイン４３５を受信し、Ｒ、Ｇ、Ｂそれぞれのディジタル信号について、ＷＢアンプゲインがかけられる。アンプゲインは、Ｒ、Ｇ、Ｂ独立に変更可能であるが、Ｇアンプゲインを固定してＲ、Ｂの２つのアンプゲインのみを可変とするようにしてもよい。
【０１５２】
この発明においては、ホワイトバランスの調整（屋外レベル調整）を行うために、基準の色温度に対する相対値を用いる。たとえば、各ケルビン値に対応する値を以下のように設定する。
６３００Ｋ・・・・＋１
５８００Ｋ・・・・  ０
５３００Ｋ・・・・−１
４８００Ｋ・・・・−２
４３００Ｋ・・・・−３
３８００Ｋ・・・・−４
３３００Ｋ・・・・−５
２８００Ｋ・・・・−６
２３００Ｋ・・・・−７
ただし、デフォルト値は、５８００Ｋ（相対値は０）である。
【０１５３】
この例では、５００Ｋごとに、異なる相対値に対応付けているが、他の間隔、たとえば、２００Ｋや３００Ｋごとに対応付けを行っても良い。このようにして設定された相対値が、ＲＧＢアンプゲインとしてＷＢアンプゲイン設定ブロック４３６に入力される。
【０１５４】
次に、図３４を参照して、相対値を設定する態様の一例について説明する。図３４に示されているのは、パネルモニタ９０やビューファインダ９３に、ＯＳＤ機能によって表示された設定表示であり、各設定表示相互の遷移を含めて概念的に示したものである。
【０１５５】
設定表示は、たとえば、アイコンと数値（相対値）の対で構成される。この表示は、数値だけで構成されてもよい。また、数値のレベルごとに異なるシンボルアイコンを用意し、数値とそのシンボルアイコンを一緒に表示し、またはそのシンボルアイコンのみを表示するように構成してもよい。シンボルアイコンは、たとえば、日没や日の出を表すアイコン、月（満月）を表すアイコン、ストロボを表すアイコン、蛍光灯を表すアイコン、雲を表すアイコン等が考えられる。
【０１５６】
図３４に示す設定表示４５１は、この状態で、たとえば選択決定ボタン６３を用いて決定をすると、レベル設定モード４５２に変わる。そこで、選択決定ボタン６３を用いた選択を行うと、順次異なる相対値（およびアイコン）の表示がされ、ユーザが変更したい相対値の表示がされたところで決定の操作をすると、その値がＲＧＢアンプゲインとして用いられる。たとえば、「−７」が数値として選択された場合は、これに対応する２３００Ｋが、ＷＢアンプゲイン設定ブロック４３６に入力される。また、この数値（相対値）と色温度の対応付けの情報が、ＷＢアンプゲイン設定ブロック４３６によって保持されている場合は、ＷＢアンプゲイン設定ブロック４３６に数値を入力し、そこで色温度への変換がされるように構成されうる。
【０１５７】
選択決定ボタン６３では、ローラー状の部分の移動方向を変えることによって、相対値（およびアイコン）の表示を順次切り替えるように制御することができる。
【０１５８】
このような構成とすることにより、ホワイトバランス調整を行う際に、基準の色温度に対する相対値によって調整を行うことができ、より容易な設定が可能となる。
【０１５９】
次に、この発明の第５の実施形態に係る画像処理装置について説明する。この発明の第５の実施形態に係る画像処理装置は、図４で示した、この発明の第１の実施形態に係る画像処理装置と同様の外観からなる。この発明の第５の実施形態は、あらかじめ複数の項目に対する設定を複数パターン記録することができる機能を有するものである。
【０１６０】
この発明の実施形態では、撮像の方法、撮像データの処理、および画像データの処理に関する設定項目（たとえば、色の濃さ、色の明るさ、ホワイトバランスなどの各種設定項目）に対してそれぞれ設定値が指定されて１つの設定値群（以降、これをピクチャープロファイルまたはプロファイルと称する）を形成し、それを、あらかじめ複数のパターン用意する（すなわち、複数のピクチャープロファイルを用意する）。撮影時に、これらのピクチャープロファイルのうちから１つを選択し、指定することによって、状況に応じた好みの画質で撮影を行うことができる。また、カメラモードやメモリーモードといった電源モードごとにピクチャープロファイルを保持するようにすることもできる。
【０１６１】
また、ユーザは、これらのピクチャープロファイルの設定値を変更することによって、所望のピクチャープロファイルを構成することもできる。事前に用意されるピクチャープロファイルには、たとえば、以下のように、所定の撮影状況に応じた推奨値を有するものがある。
・ＨＤビデオ撮影に適した設定値を有するピクチャープロファイル
・ＳＤに適した設定値を有するピクチャープロファイル
・人物撮影に適した設定値を有するピクチャープロファイル
・映画のような映像を撮影する場合に適した設定値を有するピクチャープロファイル
・モノトーンを撮影する場合に適した設定値を有するピクチャープロファイル
・夕焼けを撮影する場合に適した設定値を有するピクチャープロファイル。
【０１６２】
次に、図３５ないし図３７を参照して、ピクチャープロファイルの選択およびピクチャープロファイルの設定値の変更を行うための画面の遷移について説明する。図３５ないし図３７に示された各画面は、たとえば、パネルモニタ９０やビューファインダ９３に、ＯＳＤ機能を用いて表示されるものである。
【０１６３】
最初に、図３５に示された各画面について説明する。画面１はノーマル画面であり、レンズを通して得られた画像等が表示されるが、ここでは、そのような撮像画像等の表示は省略した。画面１はまた、ピクチャープロファイル（ＰＰ）の指定がオフとなった状態であり（ＰＰ−ＯＦＦ）、このことは、ピクチャープロファイルの設定内容が撮像画像に反映されていないことを意味する。
【０１６４】
画面１が表示されている状態でＰＰキーを押下すると、画面２に表示が切り替わる。ここで、ＰＰキーは、たとえば、画像処理装置の操作部に設けられている所定のキーである。画面２は、ＰＰ切替画面であり、この画面２を参照して、指定するピクチャープロファイルを選択する。画面２には、「ピクチャープロファイル」という表示を含むタイトル部５０１、複数のピクチャープロファイルをリスト表示するリスト部５０２、およびこの画面を終了するときに選択される終了指示部５０３が含まれる。画面２が表示された状態で、リスト部５０２の中の「切」を選択すると、画面１に戻る。ピクチャープロファイルとしてＰＰ１を指定しようとする場合は、リスト部５０２の中の「ＰＰ１」と表示された部分５０４を選択し、決定する。この選択・決定操作により、画面は、図３６に示す画面４に遷移し、そこで、ＰＰ１の最終的に選択が決定される。画面４の詳細については後述する。ここで、画面上に表示された項目の選択や決定は、たとえば、選択決定ボタン６３によって行われる。なお、ＰＰ１のようなピクチャープロファイルの名称は、ユーザによって変更することが可能である。ピクチャープロファイルの名称を、その用途と関連づけて設定すれば、ピクチャープロファイルの内容が分かり易くなり、指定する際に便利である。
【０１６５】
終了指示部５０３を選択して決定操作を行うと、画面１または画面３のノーマル画面に戻る。この終了処理の動作は、以降の各画面についても同様である。
【０１６６】
また、画面２が表示された状態で、「ＰＰ１」等のピクチャープロファイル名を選択し、ＰＰキーを押下すると、画面３のようなノーマル画面となる。この画面３は、画面１のノーマル画面と同様のものであるが、ピクチャープロファイルの指定がオンとなった状態であり（ＰＰ−ＯＮ）、このことは、ピクチャープロファイルの設定内容が撮像画像に反映されることを意味する。また、画面３の左下には、ＰＰ１というピクチャープロファイルの指定がオンとなっていることを示す「ＰＰ１」の表示がされている。画面３が表示された状態でＰＰキーを押下すると、画面１の場合と同様に画面２が表示される。
【０１６７】
次に、図３６に示された各画面について説明する。画面４は、実行／設定選択画面であり、前述したように、画面２が表示された状態でピクチャープロファイルを選択し、決定すると表示される。画面４には、「ピクチャープロファイル」という表示を含むタイトル部、ピクチャープロファイルに関する処理をリスト表示するリスト部５１１、およびこの画面を終了するときに選択される終了指示部が含まれる。
【０１６８】
ここで、リスト部５１１の中から「戻る」を選択すると、図３５の画面２に戻る。リスト部５１１の中から「決定」と表示された部分５１２を選択し、決定すると、ピクチャープロファイルとしてＰＰ１が選択されたことが決定され、図３５の画面３の表示になる。リスト部５１１の中から「設定変更」を選択し、決定すると、画面５の表示がされる。
【０１６９】
画面５は、設定選択画面であり、ここで、選択されたピクチャープロファイル（この例では「ＰＰ１」）の各設定値が指定される。画面５には、「ピクチャープロファイル」という表示を含むタイトル部、ピクチャープロファイル内の各設定項目をリスト表示するリスト部５２１、各設定項目の設定値を表示する設定値表示部５２２、およびこの画面を終了するときに選択される終了指示部が含まれる。ユーザは、選択決定ボタン６３によって、設定値を指定する設定項目を選択し、決定する。この例では、「色のこさ」と表示された部分５２３が選択され、選択決定ボタン６３による決定操作がされている。このような操作が行われると、図３７に示す画面７が表示され、そこで、その設定項目（すなわち、色のこさ）についての設定値が指定される。画面７の詳細については後述する。
【０１７０】
画面６は、画面５と同様の設定選択画面である。この画面は、画面５の状態で、ユーザが選択決定ボタン６３による選択操作を続けた場合の状態を示しており、画面５では表示されていなかった設定項目が新たにスクロール表示されてきている。この例では、「コピー」と表示された部分５３３が選択され、選択決定ボタン６３による決定操作がされている。このような操作が行われると、図３７に示す画面８が表示され、そこで、ピクチャープロファイルのコピーの指定が行われる。画面８の詳細については後述する。このように、ピクチャープロファイルの設定内容を、他のピクチャープロファイルにコピーすることができる。また、ピクチャープロファイルの設定値の内容を、外部メモリに記憶させることができる。外部メモリに記憶された設定値の内容は、互換性のある画像処理装置等で使用することができる。このような外部メモリは、たとえば、図５に示したような記録媒体挿入口６４に挿入され、ピクチャープロファイルの設定値の内容が、その外部メモリにコピーされる。
【０１７１】
リスト部には、コピーやリセットといった、設定項目以外のものも含まれうることに注意すべきである。また、画面５のリスト部５２１の中から「戻る」を選択し、決定することによって、画面４に戻ることができる。
【０１７２】
次に、図３７に示された各画面について説明する。画面７は設定画面であり、前述したように、画面５が表示された状態で「色のこさ」を選択、決定すると表示される。画面７には、「ピクチャープロファイル」という表示を含むタイトル部、「色のこさ」と表示された設定項目名表示部５４１、設定項目に対する設定値を表示する設定値表示部５４２、およびこの画面を終了するときに選択される終了指示部が含まれる。
【０１７３】
ユーザは、設定項目「色のこさ」の設定値をより大きくしようとする場合は、設定値表示部５４２の上部にある三角マークを選択し、設定項目「色のこさ」の設定値をより小さくしようとする場合は、設定値表示部５４２の下部にある三角マークを選択して、設定表示部５４２に表示された数値を変更する。また、設定表示部５４２に数値を直接入力するように構成することもできる。こうした設定値の指定が終わると、図３６に示された画面５に戻り、画面５の設定値表示部５２２には、変更された設定値が表示される。
【０１７４】
画面８は、コピー先選択画面であり、前述したように、画面６が表示された状態で「コピー」を選択、決定すると表示される。画面８には、「ピクチャープロファイル」という表示を含むタイトル部、コピー先がリスト表示されたリスト部５５１、およびこの画面を終了するときに選択される終了指示部が含まれる。リスト部５５１の中から「戻る」を選択、決定すると、図３６の画面６に戻る。一方、リスト部５５１の中の「ＰＰ２」と表示された部分５５２を選択し、決定操作を行うと、画面９が表示される。
【０１７５】
画面９は、コピー確認画面であり、「ピクチャープロファイル」という表示を含むタイトル部、「ＰＰ１をＰＰ２にコピーしますか？」というテキスト情報が表示された情報表示部５６１、「はい」「いいえ」のリストから構成されるリスト部５６２、およびこの画面を終了するときに選択される終了指示部が含まれる。リスト部５６２の中から「いいえ」を選択、決定すると、画面８に戻り、「はい」を選択し、決定すると、ＰＰ１の設定値が、ＰＰ２にコピーされ、画面６が表示される。
【０１７６】
次に、図３８を参照して、ピクチャープロファイルの設定項目について説明する。ただし、これらの設定項目は例示であり、これ以外の設定項目に対する設定値をピクチャープロファイルに記憶させてもよい。また逆に、ピクチャープロファイルが、図３８に示された設定項目のすべてについて設定値を有しなければならないということもない。
【０１７７】
図３８には、表示順、設定項目、段階数、パラメータ、および表示タイプが示されている。表示順は、たとえば、図３６に示した画面５や画面６に設定項目が表示される場合の表示順を表している。設定項目は、その設定項目の内容を表す名称である。段階数は、その設定項目の設定値がいくつのレベルで指定可能かを示しており、パラメータは、設定値の指定に実際に用いられる値であり、かっこ内の値はデフォルト値を示している。表示タイプは、パラメータが数値で表されるか、リストで表されるかを示している。表示タイプが「数値」であれば、たとえば、設定値は１から１０のうちの数値で表され、表示タイプが「リスト」であれば、たとえば、設定値は、「高」、「中」、「低」のうちいずれかから選ばれる。
【０１７８】
図３８に示された設定項目のうち、ＡＷＢ（Auto White Balance）感度は、色環境をサンプリングする際の感度である。
【０１７９】
次に、図３９を参照して、表示タイプが数値である設定項目の設定と、表示タイプがリストである設定項目の設定について説明する。図３９に示された画面５／６（設定選択画面）は、実質的に、図３６に示した画面５および画面６と同様のものである。この例では、スクロールバー６１１が付加され、このスクロールバー６１１を操作することにより、設定項目のスクロール表示を行う。リスト表示部６１２の中の「色のこさ」と表示された部分６１４を選択し、決定することにより、図３９の上部に示された画面７の設定画面が表示され、そこで、色のこさの設定値が決定される。図３８に示したとおり、「色のこさ」の表示タイプは「数値」で、設定値は、−８から＋７の１６段階で指定される。
【０１８０】
画面７には、設定値指定部６０１が表示され、現在の設定値が示される。ユーザは設定値の上下に配置された三角マークを選択等することによって、この設定値を−８から＋７の範囲で別の値に変更することができる。変更操作が終了すると、画面５／６に戻る。
【０１８１】
一方、たとえば、画面５／６のリスト表示部６１２の中から「オートアイリスリミット」（不図示、当該項目は、画面５／６において、設定項目をスクロール表示させることによって表示される）を選択し、決定すると、図３９の下部に示された画面７の設定画面が表示され、そこで、オートアイリスリミットの設定値が決定される。図３８に示したとおり、「オートアイリスリミット」の表示タイプは「リスト」で、設定値は、「Ｆ１１」、「Ｆ９．６」、「Ｆ８」のいずれかをとる。
【０１８２】
画面７には、設定値指定部６２１が表示され、現在の設定値が、たとえば、高輝度で表示される。ユーザは、設定値指定部６２１でリスト表示されている他の設定値を選択等することによって、この設定値を別のものに変更することができる。変更操作が終了すると、画面５／６に戻る。
【０１８３】
また、設定項目に対する設定値の指定に関しては、設定画面において、「基準値（デフォルト値）」を表示しておくように制御することができる。これについて、図４０を参照して説明する。図４０Ａおよび図４０Ｂは、設定項目「シャープネス」の設定値を指定するための設定画面（画面７）である。「シャープネス」は、図３８に示すように、表示タイプは「数値」で、設定値は、０から１５の１６段階で指定される。ここで、シャープネスのデフォルト値が、記録モード「ＨＤ」の場合は「３」、記録モード「ＳＤ」の場合は「１２」であるとする。
【０１８４】
図４０Ａには、設定値指定部６５１が表示され、設定値指定部６５１内には、設定値を表示する設定値表示部６５２、その設定項目のデフォルト値の相対的な位置を表すデフォルト値表示部６５３、および指定された設定値の相対的な位置を表すための設定値表示バー６５４と設定値表示帯部６５５が含まれる。
【０１８５】
図４０Ａにおいて、シャープネスの設定値は「３」に設定されている。ユーザは、設定値表示部６５２の上下に配置された三角マークを選択等することによって、この設定値を変更することができる。設定値表示バー６５４は、その左端が、とりうる設定値の最小値（この場合は「０」）の位置を表し、その右端が、とりうる設定値の最大値（この場合は「１５」）の位置を表す。その設定値表示バー６５４内には、設定値表示帯部６５５があり、現在の設定値に応じたバー上の相対的位置に配置される。したがって、現在の設定値が「３」である場合、設定値表示帯部６５５は、設定値表示バー６５４の左側（より詳細には、設定値表示バー６５４の左端部と設定値表示バー６５４の中央部とのほぼ中間の位置）に配置される。デフォルト値表示部６５３も、上述の設定値表示帯部６５５と同様の相対的位置に配置される。この場合、記録モードがＨＤであるため、シャープネスのデフォルト値は「３」であり、したがって、デフォルト値表示部６５３は、設定値表示帯部６５５のほぼ真上に配置される。
【０１８６】
図４０Ｂは、図４０Ａの状態で、記録モードをＨＤからＳＤに変更した場合の画面表示を示したものである。図４０Ｂは、図４０Ａと同様、設定値指定部６６１が表示され、設定値指定部６６１内には、設定値を表示する設定値表示部６６２、その設定項目のデフォルト値の相対的な位置を表すデフォルト値表示部６６３、および指定された設定値の相対的な位置を表すための設定値表示バー６６４と設定値表示帯部６６５が含まれる。
【０１８７】
図４０Ｂの場合は、図４０Ａの場合とは異なり、記録モードがＳＤであるため、シャープネスのデフォルト値は「１２」である。したがって、この場合、デフォルト値表示部６６３は、設定値表示帯部６６５の真上ではなく、デフォルト値「１２」に対応する位置、すなわち、設定値表示バー６６４の右側上部に配置される。
【０１８８】
このように、各設定項目の設定値を、数値のような絶対的な表示と、バーを用いた相対表示（すなわち、設定項目の設定範囲において現在の設定値がどのような相対的位置にあるかを表示したもの）の両方で表示することができる。このような表示方法によって、設定値の上限値および下限値と、現在の設定値の関係を容易に把握することができる。
【０１８９】
図４１Ａは、別のピクチャープロファイルの設定の例であるが、記録モードがＨＤで、シャープネスの設定値を「１２」に設定した状態を表している。この場合、記録モードがＨＤであるため、シャープネスのデフォルト値は「３」であり、デフォルト値表示部６７２は、設定値表示バー６７３の左側上部に配置される。
【０１９０】
図４１Ｂは、図４１Ａの状態で、記録モードをＨＤからＳＤに変更した場合の画面表示を示したものである。この場合、シャープネスのデフォルト値は「１２」となり、デフォルト値表示部６８２は、設定値表示帯部６８４のほぼ真上に配置される。
【０１９１】
図４２Ａは、工場出荷時あるいはリセット時の設定画面（画面７）の画面表示を示したものである。工場出荷時、およびリセット時には、５０Ｈｚ動作モードとなり、５０Ｈｚ動作モードでのシャープネスのデフォルト値は「３」であり、６０Ｈｚ動作モードでのシャープネスのデフォルト値は「４」であると仮定する。そうすると、図４２Ａでは、デフォルト値表示部６９２が、設定値表示帯部６９４のほぼ真上に配置される。
【０１９２】
図４２Ｂは、図４２Ａの状態のときに、周波数切替を行って、５０Ｈｚ動作モードから６０Ｈｚ動作モードになった場合の設定画面を示している。６０Ｈｚ動作モードに切り替えられたことによって、シャープネスのデフォルト値は「３」から「４」に自動的に切り替えられている。そのため、デフォルト値表示部７０２は、設定値「４」の位置に移動し、設定値表示帯部７０４の右斜め上の位置に配置される。
【０１９３】
図４２Ｃは、図４２Ｂの状態のときに、シャープネスの設定値を「３」から「４」に変更した場合の設定画面の表示を表している。シャープネスの設定値を「３」から「４」に変更することにより、設定値表示帯部７１４は、「３」の位置から「４」の位置に移動（すなわち、わずかに右側に移動）する。それによって、デフォルト値表示部７１２は、設定値表示帯部７１４のほぼ真上に配置されることになる。
【０１９４】
これまで、この発明の各実施形態に係る画像処理装置を、ディジタルビデオカメラのような、主として動画の撮影に用いられる装置を例にとって説明してきたが、この発明を、静止画の撮影を行う画像処理装置に適用することも可能であり、したがって、この発明の範囲を動画撮影のための装置のみに限定すべきではない。
【図面の簡単な説明】
【０１９５】
【図１】従来の画像処理装置の構成を表すブロック図である。
【図２】従来の画像処理装置の撮像素子によって撮像される画像の範囲と、その撮像画像を記録する場合の画像の範囲を模式的に表した略線図である。
【図３】従来の画像処理装置において、実際にメディアに記録される画像データの範囲、パネルモニタに表示される画像の範囲、およびビューファインダに表示される画像の範囲を模式的に表す略線図である。
【図４】この発明の第１の実施形態に係る画像処理装置の一例であるディジタルビデオカメラの外観を示した略線図である。
【図５】この発明の第１の実施形態に係る画像処理装置の一例であるディジタルビデオカメラの、一方向から見た部分を表した略線図である。
【図６】この発明の第１の実施形態に係る画像処理装置の構成を表すブロック図である。
【図７】この発明の第１の実施形態に係る画像処理装置の切出処理回路の構成を表すブロック図である。
【図８】この発明の第１の実施形態に係る画像処理装置において、実際にメディアに記録される画像データの範囲、パネルモニタに表示される画像の範囲、およびビューファインダに表示される画像の範囲を模式的に表す略線図である。
【図９】図８で表した画像の範囲を個別に表した略線図である。
【図１０】この発明の第１の実施形態に係る画像処理装置において、ビューファインダの画像を切り出し表示した場合のビューファインダとパネルモニタの表示内容を表す略線図である。
【図１１】この発明の第１の実施形態に係る画像処理装置において、パネルモニタの画像を切り出し表示した場合のビューファインダとパネルモニタの表示内容を表す略線図である。
【図１２】この発明の第１の実施形態に係る画像処理装置において、拡大表示がされる前後の表示装置における表示態様の一例を示す略線図である。
【図１３】この発明の第１の実施形態に係る画像処理装置において、拡大表示がされる前後の表示装置における表示態様の別の例を示す略線図である。
【図１４】この発明の第１の実施形態に係る画像処理装置において、拡大表示がされる前後の表示装置における表示態様のさらに別の例を示す略線図である。
【図１５】この発明の第１の実施形態に係る画像処理装置に組み込まれるＯＳＤシステムの概略的な構成を説明するためのブロック図である。
【図１６】この発明の第１の実施形態に係る画像処理装置において、拡大表示がされる場合のタイミングの第１の例を示すタイミングチャートである。
【図１７】この発明の第１の実施形態に係る画像処理装置において、拡大表示がされる場合のタイミングの第２の例を示すタイミングチャートである。
【図１８】この発明の第１の実施形態に係る画像処理装置において、拡大表示がされる場合のタイミングの第３の例を示すタイミングチャートである。
【図１９】この発明の第１の実施形態に係る画像処理装置において、拡大表示がされる場合のタイミングの第４の例を示すタイミングチャートである。
【図２０】この発明の第１の実施形態に係る画像処理装置において、拡大表示がされる場合のタイミングの第５の例を示すタイミングチャートである。
【図２１】この発明の第１の実施形態に係る画像処理装置における、拡大フォーカスボタンの配置例を示した略線図である。
【図２２】この発明の第２の実施形態に係る画像処理装置において、ピーキング処理を実現するための回路の構成を示したブロック図である。
【図２３】この発明の第２の実施形態に係る画像処理装置において、ピーキング処理を行うためのスライドスイッチの構造を説明するための略線図である。
【図２４】この発明の第２の実施形態に係る画像処理装置において、ピーキング処理が行われた場合の表示内容を表す略線図である。
【図２５】この発明の第２の実施形態に係る画像処理装置において、ピーキング処理の設定を行うための表示内容を表す略線図である。
【図２６】この発明の第２の実施形態に係る画像処理装置において、ピーキング処理の設定を行うための表示内容を表す略線図である。
【図２７】この発明の第３の実施形態に係る画像処理装置において、ゼブラ処理を実現するための回路の構成を示したブロック図である。
【図２８】この発明の第３の実施形態に係る画像処理装置において、ゼブラ処理が行われた場合の表示内容を表す略線図である。
【図２９】この発明の第３の実施形態に係る画像処理装置において、ゼブラパターンを表示する基準となる輝度の範囲を表示する態様を表す略線図である。
【図３０】この発明の第３の実施形態に係る画像処理装置において、ゼブラパターンを表示する基準となる輝度の範囲を表示する態様を表す略線図である。
【図３１】この発明の第３の実施形態に係る画像処理装置において、ゼブラパターンを表示する基準となる輝度の範囲を設定する態様を表す略線図である。
【図３２】この発明の第３の実施形態に係る画像処理装置において、ゼブラパターンを表示する基準となる輝度の範囲を設定する際の、画面遷移の概要について説明するための略線図である。
【図３３】この発明の第４の実施形態に係る画像処理装置において、ホワイトバランスの処理を実現するための回路の構成を示したブロック図である。
【図３４】この発明の第４の実施形態に係る画像処理装置において、ホワイトバランスの処理に用いられる相対値を設定するための画面遷移を示した略線図である。
【図３５】この発明の第５の実施形態に係る画像処理装置において、ピクチャープロファイルの表示・設定を行う際の画面遷移を示した略線図である。
【図３６】この発明の第５の実施形態に係る画像処理装置において、ピクチャープロファイルの表示・設定を行う際の画面遷移を示した略線図である。
【図３７】この発明の第５の実施形態に係る画像処理装置において、ピクチャープロファイルの表示・設定を行う際の画面遷移を示した略線図である。
【図３８】この発明の第５の実施形態に係る画像処理装置において、ピクチャープロファイルの設定項目の例を示した略線図である。
【図３９】この発明の第５の実施形態に係る画像処理装置において、ピクチャープロファイルの設定項目の設定値を指定する方法を示した略線図である。
【図４０】この発明の第５の実施形態に係る画像処理装置において、ピクチャープロファイルの設定項目の設定値の指定画面で、設定値とデフォルト値を表示するようにした態様を示す略線図である。
【図４１】この発明の第５の実施形態に係る画像処理装置において、ピクチャープロファイルの設定項目の設定値の指定画面で、設定値とデフォルト値を表示するようにした態様を示す略線図である。
【図４２】この発明の第５の実施形態に係る画像処理装置において、ピクチャープロファイルの設定項目の設定値の指定画面で、設定値とデフォルト値を表示するようにした態様を示す略線図である。
【符号の説明】
【０１９６】
５０・・・ディジタルビデオカメラ、５１・・・レンズフード、５２・・・パネルモニタ、５３・・・ステレオマイク、５４・・・マニュアルフォーカスリング、５５・・・ズームリング、５６・・・ビューファインダ、５７，５８・・・操作部、６１・・・スライドスイッチ、６２・・・メニューボタン、６３・・・選択決定ボタン、６４・・・記録媒体挿入口、６５・・・バッテリー、６６・・・電源スイッチ、８１・・・画像処理システム、８２・・・レンズ、８３・・・撮像素子、８４・・・ＡＤ変換器、８５・・・信号処理回路、８６・・・画像メモリ、８７・・・制御マイコン、８８・・・モニタ信号処理回路、８９・・・表示処理回路、９０・・・パネルモニタ、９１・・・モニタ信号処理回路、９２・・・表示処理回路、９３・・・ビューファインダ、９４・・・表示処理回路、９５・・・再生回路、９６・・・記録回路、９７・・・メディア、９８・・・切出処理回路、９９、１００・・・セレクタ
【図１】
2006067044.tif 000003
【図２】
2006067044.tif 000004
【図３】
2006067044.tif 000005
【図４】
2006067044.tif 000006
【図５】
2006067044.tif 000007
【図６】
2006067044.tif 000008
【図７】
2006067044.tif 000009
【図８】
2006067044.tif 000010
【図９】
2006067044.tif 000011
【図１０】
2006067044.tif 000012
【図１１】
2006067044.tif 000013
【図１２】
2006067044.tif 000014
【図１３】
2006067044.tif 000015
【図１４】
2006067044.tif 000016
【図１５】
2006067044.tif 000017
【図１６】
2006067044.tif 000018
【図１７】
2006067044.tif 000019
【図１８】
2006067044.tif 000020
【図１９】
2006067044.tif 000021
【図２０】
2006067044.tif 000022
【図２１】
2006067044.tif 000023
【図２２】
2006067044.tif 000024
【図２３】
2006067044.tif 000025
【図２４】
2006067044.tif 000026
【図２５】
2006067044.tif 000027
【図２６】
2006067044.tif 000028
【図２７】
2006067044.tif 000029
【図２８】
2006067044.tif 000030
【図２９】
2006067044.tif 000031
【図３０】
2006067044.tif 000032
【図３１】
2006067044.tif 000033
【図３２】
2006067044.tif 000034
【図３３】
2006067044.tif 000035
【図３４】
2006067044.tif 000036
【図３５】
2006067044.tif 000037
【図３６】
2006067044.tif 000038
【図３７】
2006067044.tif 000039
【図３８】
2006067044.tif 000040
【図３９】
2006067044.tif 000041
【図４０】
2006067044.tif 000042
【図４１】
2006067044.tif 000043
【図４２】
2006067044.tif 000044